(57)【要約】【課題】  移動局において、良好な受信品質が提供される場所を容易に認識することを可能とする。【解決手段】  基地局１００は、複数の移動局から、パイロット信号及び各移動局の位置情報を受信する。上りリンクパイロット信号分離部１０３は、各移動局毎のパイロット信号を分離し、上りリンク受信品質計算部１０４は、各移動局毎のパイロット信号を基に、各移動局毎の受信品質情報を計算する。位置情報抽出部１０５は、各移動局の位置情報を抽出する。伝搬情報生成部１０７は、各移動局の位置情報に、各移動局の受信品質情報を対応させてることにより場所毎の受信品質を表す地図情報を作成する。基地局１００は、地図情報を各移動局に送信し、各移動局はそれを表示する。【選択図】        図１
2006352324.tif 000002
【特許請求の範囲】
【請求項１】
複数の移動局のうちの各移動局が、上りリンクパイロット信号及び自己が存在する位置を示す位置情報を基地局に送信するステップと、
前記基地局が、前記上りリンクパイロット信号及び前記位置情報を前記各移動局から受信するステップと、
前記基地局が、前記各移動局から受信した前記上りリンクパイロット信号を基に、上りリンク受信品質情報を計算するステップと、
前記基地局が、前記複数の移動局に関して、前記上りリンク受信品質情報を、前記各移動局から受信した前記位置情報と関連付けることにより、品質位置対応情報を生成するステップと、
前記基地局が、前記品質位置対応情報を前記各移動局に送信するステップと、
前記各移動局が、前記品質位置対応情報を基に生成した画像を表示するステップと、
を備えることを特徴とする受信品質表示方法。
【請求項２】
請求項１に記載の受信品質表示方法において、
前記各移動局が、該各移動局を識別するための移動局識別番号を前記基地局に送信するステップと、
前記基地局が、前記各移動局から受信した前記移動局識別番号を基に、前記各移動局と該各移動局が送信するべき上りリンクパイロット信号のパターンとの対応関係を記述した上りリンクパイロット制御信号を生成するステップと、
前記基地局が、前記上りリンクパイロット制御信号を前記各移動局に送信するステップと、
を更に備え、
前記各移動局は、前記上りリンクパイロット信号及び自己が存在する位置を示す位置情報を前記基地局に送信するステップでは、前記上りリンクパイロット信号として、前記上りリンクパイロット制御信号で指定されるパターンを有する前記上りリンクパイロット信号を送信することを特徴とする受信品質表示方法。
【請求項３】
請求項１に記載の受信品質表示方法において、
前記各移動局が、前記品質位置対応情報を基に、複数の位置に関して、位置と前記上りリンク受信品質との対応関係を表す地図情報を生成するステップを更に備え、
前記各移動局は、前記品質位置対応情報を基に生成した画像を表示するステップでは、前記画像として、前記地図情報を表す画像を表示することを特徴とする受信品質表示方法。
【請求項４】
請求項１に記載の受信品質表示方法において、
前記各移動局が、複数の時刻における前記品質位置対応情報に含まれる位置情報により示される位置に関して、位置と前記上りリンク受信品質との対応関係を表す地図情報を生成するステップを更に備え、
前記各移動局は、前記品質位置対応情報を基に生成した画像を表示するステップでは、前記画像として、前記地図情報を表す画像を表示することを特徴とする受信品質表示方法。
【請求項５】
請求項１に記載の受信品質表示方法において、
前記各移動局が、前記品質位置対応情報を基に、前記上りリンク受信品質情報により表される上りリンク受信品質が所定の品質を上回る場所のうちの現在位置に最も近接する場所を示す近接場所情報を生成するステップを更に備え、
前記各移動局は、前記品質位置対応情報を基に生成した画像を表示するステップでは、前記画像として、前記近接場所情報を表す画像を表示することを特徴とする受信品質表示方法。
【請求項６】
請求項１に記載の受信品質表示方法において、
前記基地局は、前記各移動局から受信した前記上りリンクパイロット信号を基に、上りリンク受信品質情報を計算するステップでは、前記上りリンク受信品質情報として、各移動局毎の前記基地局における受信信号電力及び各移動局毎の前記基地局における受信信号電力と干渉電力との比のうちの少なくとも１つを計算することを特徴とする受信品質表示方法。
【請求項７】
請求項１に記載の受信品質表示方法において、
前記各移動局は、前記上りリンクパイロット信号及び前記位置情報を前記基地局に送信するステップでは、マルチプル・インプット／マルチプル・アウトプット伝送方式に基づいて、複数のアンテナから前記上りリンクパイロット信号及び前記位置情報を送信し、
前記基地局は、前記上りリンクパイロット信号及び前記位置情報を前記各移動局から受信するステップでは、マルチプル・インプット／マルチプル・アウトプット伝送方式に基づいて、複数のアンテナで前記上りリンクパイロット信号及び前記位置情報を受信し、
前記基地局が、前記各移動局から受信した前記上りリンクパイロット信号を基に、前記上りリンク受信品質情報を計算するステップでの前記上りリンクパイロット信号は、各移動局に対して複数あることを特徴とする受信品質表示方法。
【請求項８】
請求項７に記載の受信品質表示方法において、
前記基地局は、前記各移動局から受信した前記上りリンクパイロット信号を基に、上りリンク受信品質情報を計算するステップでは、前記上りリンク受信品質情報として、各移動局毎の前記基地局における受信信号電力、各移動局毎の前記基地局における受信信号電力と干渉電力との比、各移動局毎の該各移動局と他の移動局それぞれとの伝搬路相関値を基に算出した値及び各移動局毎の該移動局における送信アンテナ間の相関値のうちの少なくとも１つを計算することを特徴とする受信品質表示方法。
【請求項９】
請求項７に記載の受信品質表示方法において、
前記基地局は、前記各移動局から受信した前記上りリンクパイロット信号を基に、上りリンク受信品質情報を計算するステップでは、前記上りリンク受信品質情報として、受信信号電力又は受信信号電力対干渉電力及び移動局間の相関値を計算し、
前記基地局が、前記品質位置対応情報を基に、前記受信信号電力又は前記受信信号電力対干渉電力の比が他の移動局と比較して相対的に低い移動局に対して相関値が改善される場所を指示するための改善場所情報を生成するステップを更に備え、
前記各移動局は、前記品質位置対応情報を基に生成した画像を表示するステップでは、前記画像として、前記改善場所情報を表す画像を表示することを特徴とする受信品質表示方法。
【請求項１０】
請求項７に記載の受信品質表示方法において、
前記基地局は、前記各移動局から受信した前記上りリンクパイロット信号を基に、上りリンク受信品質情報を計算するステップでは、前記上りリンク受信品質情報として、受信信号電力又は受信信号電力対干渉電力及び移動局間の相関値を計算し、
前記基地局が、前記品質位置対応情報を基に、前記受信信号電力又は前記受信信号電力対干渉電力の比が他の移動局と比較して相対的に低い移動局に対して前記受信信号電力又は前記受信信号電力対干渉電力の比が所定値以上の領域のうちの該領域内の移動局から最も離れた場所を指示するための改善場所情報を生成するステップを更に備え、
前記各移動局は、前記品質位置対応情報を基に生成した画像を表示するステップでは、前記画像として、前記改善場所情報を表す画像を表示することを特徴とする受信品質表示方法。
【請求項１１】
基地局が、下りリンクパイロット信号を複数の複数の移動局のうちの各移動局に送信するステップと、
前記各移動局が、前記下りリンクパイロット信号を前記基地局から受信するステップと、
前記各移動局が、前記基地局から受信した前記下りリンクパイロット信号を基に、下りリンク受信品質情報を計算するステップと、
前記各移動局が、前記下りリンク受信品質情報及び自己が存在する位置を示す位置情報を前記基地局に送信するステップと、
前記基地局が、前記複数の移動局に関して、前記各移動局から受信した前記下りリンク受信品質情報を、前記移動局から受信した前記位置情報と関連付けることにより、品質位置対応情報を生成するステップと、
前記基地局が、前記品質位置対応情報を前記各移動局に送信するステップと、
前記各移動局が、前記品質位置対応情報を基に生成した画像を表示するステップと、
を備えることを特徴とする受信品質表示方法。
【請求項１２】
請求項１１に記載の受信品質表示方法において、
前記各移動局が、前記品質位置対応情報を基に、複数の位置に関して、位置と前記下りリンク受信品質との対応関係を表す地図情報を生成するステップを更に備え、
前記各移動局は、前記品質位置対応情報を基に生成した画像を表示するステップでは、前記画像として、前記地図情報を表す画像を表示することを特徴とする受信品質表示方法。
【請求項１３】
請求項１１に記載の受信品質表示方法において、
前記各移動局が、複数の時刻における前記品質位置対応情報に含まれる位置情報により示される位置に関して、位置と前記下りリンク受信品質との対応関係を表す地図情報を生成するステップを更に備え、
前記各移動局は、前記品質位置対応情報を基に生成した画像を表示するステップでは、前記画像として、前記地図情報を表す画像を表示することを特徴とする受信品質表示方法。
【請求項１４】
請求項１１に記載の受信品質表示方法において、
前記各移動局が、前記品質位置対応情報を基に、前記下りリンク受信品質情報により表される下りリンク受信品質が所定の品質を上回る場所のうちの現在位置に最も近接する場所を示す近接場所情報を生成するステップを更に備え、
前記各移動局は、前記品質位置対応情報を基に生成した画像を表示するステップでは、前記画像として、前記近接場所情報を表す画像を表示することを特徴とする受信品質表示方法。
【請求項１５】
請求項１１に記載の受信品質表示方法において、
前記各移動局は、前記基地局から受信した前記下りリンクパイロット信号を基に、下りリンク受信品質情報を計算するステップでは、前記下りリンク受信品質情報として、各移動局毎の前記移動局における受信信号電力及び各移動局毎の前記移動局における受信信号電力と干渉電力との比のうちの少なくとも１つを計算することを特徴とする受信品質表示方法。
【請求項１６】
請求項１１に記載の受信品質表示方法において、
前記基地局は、前記下りリンクパイロット信号を前記各移動局に送信するステップでは、マルチプル・インプット／マルチプル・アウトプット伝送方式に基づいて、複数のアンテナから前記下りリンクパイロット信号を送信し、
前記各移動局は、前記下りリンクパイロット信号を前記基地局から受信するステップでは、マルチプル・インプット／マルチプル・アウトプット伝送方式に基づいて、複数のアンテナで前記下りリンクパイロット信号を受信し、
前記各移動局が、前記基地局から受信した前記下りリンクパイロット信号を基に、前記下りリンク受信品質情報を計算するステップでの前記下りリンクパイロット信号は、複数あることを特徴とする受信品質表示方法。
【請求項１７】
請求項１６に記載の受信品質表示方法において、
前記各移動局は、前記基地局から受信した前記下りリンクパイロット信号を基に、下りリンク受信品質情報を計算するステップでは、前記下りリンク受信品質情報として、各移動局毎の前記移動局における受信信号電力、各移動局毎の前記移動局における受信信号電力と干渉電力との比及び基地局における送信アンテナ間の相関値のうちの少なくとも１つを計算することを特徴とする受信品質表示方法。
【請求項１８】
請求項１６に記載の受信品質表示方法において、
前記各移動局は、前記基地局から受信した前記下りリンクパイロット信号を基に、下りリンク受信品質情報を計算するステップでは、前記下りリンク受信品質情報として、受信信号電力又は受信信号電力対干渉電力及び移動局間の相関値を計算し、
前記基地局が、前記品質位置対応情報を基に、前記受信信号電力又は前記受信信号電力対干渉電力の比が他の移動局と比較して相対的に低い移動局に対して相関値が改善される場所を指示するための改善場所情報を生成するステップを更に備え、
前記各移動局は、前記品質位置対応情報を基に生成した画像を表示するステップでは、前記画像として、前記改善場所情報を表す画像を表示することを特徴とする受信品質表示方法。
【請求項１９】
請求項１６に記載の受信品質表示方法において、
前記各移動局は、前記各移動局から受信した前記下りリンクパイロット信号を基に、下りリンク受信品質情報を計算するステップでは、前記下りリンク受信品質情報として、受信信号電力又は受信信号電力対干渉電力及び移動局間の相関値を計算し、
前記基地局が、前記品質位置対応情報を基に、前記受信信号電力又は前記受信信号電力対干渉電力の比が他の移動局と比較して相対的に低い移動局に対して前記受信信号電力又は前記受信信号電力対干渉電力の比が所定値以上の領域のうちの該領域内の移動局から最も離れた場所を指示するための改善場所情報を生成するステップを更に備え、
前記各移動局は、前記品質位置対応情報を基に生成した画像を表示するステップでは、前記画像として、前記改善場所情報を表す画像を表示することを特徴とする受信品質表示方法。
【請求項２０】
複数の移動局のうちの各移動局から、上りリンクパイロット信号及び自己が存在する位置を示す位置情報を基地局に送信する手段と、
前記基地局において、前記上りリンクパイロット信号及び前記位置情報を前記各移動局から受信する手段と、
前記基地局において、前記各移動局から受信した前記上りリンクパイロット信号を基に、上りリンク受信品質情報を計算する手段と、
前記基地局において、前記複数の移動局に関して、前記上りリンク受信品質情報を、前記各移動局から受信した前記位置情報と関連付けることにより、品質位置対応情報を生成する手段と、
前記基地局から、前記品質位置対応情報を前記各移動局に送信する手段と、
前記各移動局において、前記品質位置対応情報を基に生成した画像を表示する手段と、
を備えることを特徴とする受信品質表示システム。
【請求項２１】
請求項２０に記載の受信品質表示システムにおいて、
前記各移動局から、該各移動局を識別するための移動局識別番号を前記基地局に送信する手段と、
前記基地局において、前記各移動局から受信した前記移動局識別番号を基に、前記各移動局と該各移動局が送信するべき上りリンクパイロット信号のパターンとの対応関係を記述した上りリンクパイロット制御信号を生成する手段と、
前記基地局から、前記上りリンクパイロット制御信号を前記各移動局に送信する手段と、
を更に備え、
前記各移動局から、前記上りリンクパイロット信号及び自己が存在する位置を示す位置情報を前記基地局に送信する手段は、前記上りリンクパイロット信号として、前記上りリンクパイロット制御信号で指定されるパターンを有する前記上りリンクパイロット信号を送信することを特徴とする受信品質表示システム。
【請求項２２】
請求項２０に記載の受信品質表示システムにおいて、
前記各移動局において、前記品質位置対応情報を基に、複数の位置に関して、位置と前記上りリンク受信品質との対応関係を表す地図情報を生成する手段を更に備え、
前記各移動局において、前記品質位置対応情報を基に生成した画像を表示する手段は、前記画像として、前記地図情報を表す画像を表示することを特徴とする受信品質表示システム。
【請求項２３】
請求項２０に記載の受信品質表示システムにおいて、
前記各移動局において、複数の時刻における前記品質位置対応情報に含まれる位置情報により示される位置に関して、位置と前記上りリンク受信品質との対応関係を表す地図情報を生成する手段を更に備え、
前記各移動局において、前記品質位置対応情報を基に生成した画像を表示する手段は、前記画像として、前記地図情報を表す画像を表示することを特徴とする受信品質表示システム。
【請求項２４】
請求項２０に記載の受信品質表示システムにおいて、
前記各移動局において、前記品質位置対応情報を基に、前記上りリンク受信品質情報により表される上りリンク受信品質が所定の品質を上回る場所のうちの現在位置に最も近接する場所を示す近接場所情報を生成する手段を更に備え、
前記各移動局において、前記品質位置対応情報を基に生成した画像を表示する手段は、前記画像として、前記近接場所情報を表す画像を表示することを特徴とする受信品質表示システム。
【請求項２５】
請求項２０に記載の受信品質表示システムにおいて、
前記基地局において、前記各移動局から受信した前記上りリンクパイロット信号を基に、上りリンク受信品質情報を計算する手段は、前記上りリンク受信品質情報として、各移動局毎の前記基地局における受信信号電力及び各移動局毎の前記基地局における受信信号電力と干渉電力との比のうちの少なくとも１つを計算することを特徴とする受信品質表示システム。
【請求項２６】
請求項２０に記載の受信品質表示システムにおいて、
前記各移動局において、前記上りリンクパイロット信号及び前記位置情報を前記基地局に送信する手段は、マルチプル・インプット／マルチプル・アウトプット伝送方式に基づいて、複数のアンテナから前記上りリンクパイロット信号及び前記位置情報を送信し、
前記基地局において、前記上りリンクパイロット信号及び前記位置情報を前記各移動局から受信する手段は、マルチプル・インプット／マルチプル・アウトプット伝送方式に基づいて、複数のアンテナで前記上りリンクパイロット信号及び前記位置情報を受信し、
前記基地局において、前記各移動局から受信した前記上りリンクパイロット信号を基に、前記上りリンク受信品質情報を計算する手段での前記上りリンクパイロット信号は、各移動局に対して複数あることを特徴とする受信品質表示システム。
【請求項２７】
請求項２６に記載の受信品質表示システムにおいて、
前記基地局において、前記各移動局から受信した前記上りリンクパイロット信号を基に、上りリンク受信品質情報を計算する手段は、前記上りリンク受信品質情報として、各移動局毎の前記基地局における受信信号電力、各移動局毎の前記基地局における受信信号電力と干渉電力との比、各移動局毎の該各移動局と他の移動局それぞれとの伝搬路相関値を基に算出した値及び各移動局毎の該移動局における送信アンテナ間の相関値のうちの少なくとも１つを計算することを特徴とする受信品質表示システム。
【請求項２８】
請求項２６に記載の受信品質表示システムにおいて、
前記基地局において、前記各移動局から受信した前記上りリンクパイロット信号を基に、上りリンク受信品質情報を計算する手段は、前記上りリンク受信品質情報として、受信信号電力又は受信信号電力対干渉電力及び移動局間の相関値を計算し、
前記基地局において、前記品質位置対応情報を基に、前記受信信号電力又は前記受信信号電力対干渉電力の比が他の移動局と比較して相対的に低い移動局に対して相関値が改善される場所を指示するための改善場所情報を生成する手段を更に備え、
前記各移動局において、前記品質位置対応情報を基に生成した画像を表示する手段は、前記画像として、前記改善場所情報を表す画像を表示することを特徴とする受信品質表示システム。
【請求項２９】
請求項２６に記載の受信品質表示システムにおいて、
前記基地局において、前記各移動局から受信した前記上りリンクパイロット信号を基に、上りリンク受信品質情報を計算する手段は、前記上りリンク受信品質情報として、受信信号電力又は受信信号電力対干渉電力及び移動局間の相関値を計算し、
前記基地局において、前記品質位置対応情報を基に、前記受信信号電力又は前記受信信号電力対干渉電力の比が他の移動局と比較して相対的に低い移動局に対して前記受信信号電力又は前記受信信号電力対干渉電力の比が所定値以上の領域のうちの該領域内の移動局から最も離れた場所を指示するための改善場所情報を生成する手段を更に備え、
前記各移動局において、前記品質位置対応情報を基に生成した画像を表示する手段は、前記画像として、前記改善場所情報を表す画像を表示することを特徴とする受信品質表示システム。
【請求項３０】
基地局から、下りリンクパイロット信号を複数の複数の移動局のうちの各移動局に送信する手段と、
前記各移動局において、前記下りリンクパイロット信号を前記基地局から受信する手段と、
前記各移動局において、前記基地局から受信した前記下りリンクパイロット信号を基に、下りリンク受信品質情報を計算する手段と、
前記各移動局から、前記下りリンク受信品質情報及び自己が存在する位置を示す位置情報を前記基地局に送信する手段と、
前記基地局において、前記複数の移動局に関して、移動局から受信した前記下りリンク受信品質情報を、前記各移動局から受信した前記位置情報と関連付けることにより、品質位置対応情報を生成する手段と、
前記基地局から、前記品質位置対応情報を前記各移動局に送信する手段と、
前記各移動局において、前記品質位置対応情報を基に生成した画像を表示する手段と、
を備えることを特徴とする受信品質表示システム。
【請求項３１】
請求項３０に記載の受信品質表示システムにおいて、
前記各移動局において、前記品質位置対応情報を基に、複数の位置に関して、位置と前記下りリンク受信品質との対応関係を表す地図情報を生成する手段を更に備え、
前記各移動局において、前記品質位置対応情報を基に生成した画像を表示する手段は、前記画像として、前記地図情報を表す画像を表示することを特徴とする受信品質表示システム。
【請求項３２】
請求項３０に記載の受信品質表示システムにおいて、
前記各移動局において、複数の時刻における前記品質位置対応情報に含まれる位置情報により示される位置に関して、位置と前記下りリンク受信品質との対応関係を表す地図情報を生成する手段を更に備え、
前記各移動局において、前記品質位置対応情報を基に生成した画像を表示する手段は、前記画像として、前記地図情報を表す画像を表示することを特徴とする受信品質表示システム。
【請求項３３】
請求項３０に記載の受信品質表示システムにおいて、
前記各移動局において、前記品質位置対応情報を基に、前記下りリンク受信品質情報により表される下りリンク受信品質が所定の品質を上回る場所のうちの現在位置に最も近接する場所を示す近接場所情報を生成する手段を更に備え、
前記各移動局において、前記品質位置対応情報を基に生成した画像を表示する手段は、前記画像として、前記近接場所情報を表す画像を表示することを特徴とする受信品質表示システム。
【請求項３４】
請求項３０に記載の受信品質表示システムにおいて、
前記各移動局において、前記基地局から受信した前記下りリンクパイロット信号を基に、下りリンク受信品質情報を計算する手段は、前記下りリンク受信品質情報として、各移動局毎の前記移動局における受信信号電力及び各移動局毎の前記移動局における受信信号電力と干渉電力との比のうちの少なくとも１つを計算することを特徴とする受信品質表示システム。
【請求項３５】
請求項３０に記載の受信品質表示システムにおいて、
前記基地局から、前記下りリンクパイロット信号を前記各移動局に送信する手段は、マルチプル・インプット／マルチプル・アウトプット伝送方式に基づいて、複数のアンテナから前記下りリンクパイロット信号を送信し、
前記各移動局において、前記下りリンクパイロット信号を前記基地局から受信する手段は、マルチプル・インプット／マルチプル・アウトプット伝送方式に基づいて、複数のアンテナで前記下りリンクパイロット信号を受信し、
前記各移動局において、前記基地局から受信した前記下りリンクパイロット信号を基に、前記下りリンク受信品質情報を計算する手段での前記下りリンクパイロット信号は、複数あることを特徴とする受信品質表示システム。
【請求項３６】
請求項３５に記載の受信品質表示システムにおいて、
前記各移動局において、前記基地局から受信した前記下りリンクパイロット信号を基に、下りリンク受信品質情報を計算する手段は、前記下りリンク受信品質情報として、各移動局毎の前記移動局における受信信号電力、各移動局毎の前記移動局における受信信号電力と干渉電力との比及び基地局における送信アンテナ間の相関値のうちの少なくとも１つを計算することを特徴とする受信品質表示システム。
【請求項３７】
請求項３５に記載の受信品質表示システムにおいて、
前記各移動局において、前記基地局から受信した前記下りリンクパイロット信号を基に、下りリンク受信品質情報を計算する手段は、前記下りリンク受信品質情報として、受信信号電力又は受信信号電力対干渉電力及び移動局間の相関値を計算し、
前記基地局において、前記品質位置対応情報を基に、前記受信信号電力又は前記受信信号電力対干渉電力の比が他の移動局と比較して相対的に低い移動局に対して相関値が改善される場所を指示するための改善場所情報を生成する手段を更に備え、
前記各移動局において、前記品質位置対応情報を基に生成した画像を表示する手段は、前記画像として、前記改善場所情報を表す画像を表示することを特徴とする受信品質表示システム。
【請求項３８】
請求項３５に記載の受信品質表示システムにおいて、
前記各移動局において、前記各移動局から受信した前記下りリンクパイロット信号を基に、下りリンク受信品質情報を計算する手段は、前記下りリンク受信品質情報として、受信信号電力又は受信信号電力対干渉電力及び移動局間の相関値を計算し、
前記基地局において、前記品質位置対応情報を基に、前記受信信号電力又は前記受信信号電力対干渉電力の比が他の移動局と比較して相対的に低い移動局に対して前記受信信号電力又は前記受信信号電力対干渉電力の比が所定値以上の領域のうちの該領域内の移動局から最も離れた場所を指示するための改善場所情報を生成する手段を更に備え、
前記各移動局において、前記品質位置対応情報を基に生成した画像を表示する手段は、前記画像として、前記改善場所情報を表す画像を表示することを特徴とする受信品質表示システム。
【発明の詳細な説明】
【技術分野】
【０００１】
本発明は、無線伝送システムにおける受信品質表示方法及びそのシステムに関する。
【背景技術】
【０００２】
移動局において、受信品質を表示する方法の一つに、受信信号電力に対応したレベルを端末画面上に表示する方法がある（例えば、特許文献１参照）。以下、端末の画面上に受信品質を表示する方法を図２２及び図２３を参照して説明する。
【０００３】
基地局送信装置２２００において、下りリンクパイロット信号生成部２２０１は、下りリンクパイロット信号ＳＢＴＰを生成する。変調部２２０２は、下りリンクパイロット信号ＳＢＴＰを変調し、基地局送信信号ＳＢＴＸを出力する。基地局送信信号ＳＢＴＸは、送信アンテナ１８０３から、移動局に送信される。
【０００４】
移動局受信装置２３００において、受信アンテナ２３０１は、基地局送信装置２２００からの信号を受信し、移動局受信信号ＳＭＡを出力する。復調部２３０２は、移動局受信信号ＳＭＡを復調し、移動局復調信号ＳＭＤＥＭを出力する。下りリンク受信品質計算部２３０３は、移動局復調信号ＳＭＤＥＭを基に受信信号電力を計算し、下りリンク受信品質情報ＳＭＲを出力する。伝搬情報表示部２３０４は、下りリンク受信品質情報ＳＭＲを入力とし、受信品質情報ＳＭＲに対応したレベルを端末画面上に表示する。
【０００５】
移動局端末を所有するユーザは、端末画面上に表示される受信品質を容易に確認でき、移動局における受信品質が悪い場合には、他の場所に移動したり、端末の受信アンテナの位置を調整したりすることで、受信品質を改善することができる。
【特許文献１】特開平３−１６３２３号公報
【発明の開示】
【発明が解決しようとする課題】
【０００６】
しかしながら、上述した方法では、良好な受信品質を達成する位置が、予め移動局に提供されていないため、移動局は、良好な受信品質が提供される場所に移動する場合、受信品質を常に確認しながら、新たな場所を探す必要がある。
【０００７】
本発明は、移動局において、良好な受信品質が提供される場所を容易に認識することを可能とする受信品質表示方法及びそのシステムを提供することを目的とする。
【課題を解決するための手段】
【０００８】
本発明の第１の観点によれば、複数の移動局のうちの各移動局が、上りリンクパイロット信号及び自己が存在する位置を示す位置情報を基地局に送信するステップと、前記基地局が、前記上りリンクパイロット信号及び前記位置情報を前記各移動局から受信するステップと、前記基地局が、前記各移動局から受信した前記上りリンクパイロット信号を基に、上りリンク受信品質情報を計算するステップと、前記基地局が、前記複数の移動局に関して、前記上りリンク受信品質情報を、前記各移動局から受信した前記位置情報と関連付けることにより、品質位置対応情報を生成するステップと、前記基地局が、前記品質位置対応情報を前記各移動局に送信するステップと、前記各移動局が、前記品質位置対応情報を基に生成した画像を表示するステップと、を備えることを特徴とする受信品質表示方法が提供される。
【０００９】
本発明の第１の観点による受信品質表示方法において、前記各移動局が、該各移動局を識別するための移動局識別番号を前記基地局に送信するステップと、前記基地局が、前記各移動局から受信した前記移動局識別番号を基に、前記各移動局と該各移動局が送信するべき上りリンクパイロット信号のパターンとの対応関係を記述した上りリンクパイロット制御信号を生成するステップと、前記基地局が、前記上りリンクパイロット制御信号を前記各移動局に送信するステップと、を更に備え、前記各移動局は、前記上りリンクパイロット信号及び自己が存在する位置を示す位置情報を前記基地局に送信するステップでは、前記上りリンクパイロット信号として、前記上りリンクパイロット制御信号で指定されるパターンを有する前記上りリンクパイロット信号を送信するようにしてもよい。
【００１０】
本発明の第１の観点による受信品質表示方法において、前記各移動局が、前記品質位置対応情報を基に、複数の位置に関して、位置と前記上りリンク受信品質との対応関係を表す地図情報を生成するステップを更に備え、前記各移動局は、前記品質位置対応情報を基に生成した画像を表示するステップでは、前記画像として、前記地図情報を表す画像を表示するようにしてもよい。
【００１１】
本発明の第１の観点による受信品質表示方法において、前記各移動局が、複数の時刻における前記品質位置対応情報に含まれる位置情報により示される位置に関して、位置と前記上りリンク受信品質との対応関係を表す地図情報を生成するステップを更に備え、前記各移動局は、前記品質位置対応情報を基に生成した画像を表示するステップでは、前記画像として、前記地図情報を表す画像を表示するようにしてもよい。
【００１２】
本発明の第１の観点による受信品質表示方法において、前記各移動局が、前記品質位置対応情報を基に、前記上りリンク受信品質情報により表される上りリンク受信品質が所定の品質を上回る場所のうちの現在位置に最も近接する場所を示す近接場所情報を生成するステップを更に備え、前記各移動局は、前記品質位置対応情報を基に生成した画像を表示するステップでは、前記画像として、前記近接場所情報を表す画像を表示するようにしてもよい。
【００１３】
本発明の第１の観点による受信品質表示方法において、前記基地局は、前記各移動局から受信した前記上りリンクパイロット信号を基に、上りリンク受信品質情報を計算するステップでは、前記上りリンク受信品質情報として、各移動局毎の前記基地局における受信信号電力及び各移動局毎の前記基地局における受信信号電力と干渉電力との比のうちの少なくとも１つを計算するようにしてもよい。
【００１４】
本発明の第１の観点による受信品質表示方法において、前記各移動局は、前記上りリンクパイロット信号及び前記位置情報を前記基地局に送信するステップでは、マルチプル・インプット／マルチプル・アウトプット伝送方式に基づいて、複数のアンテナから前記上りリンクパイロット信号及び前記位置情報を送信し、前記基地局は、前記上りリンクパイロット信号及び前記位置情報を前記各移動局から受信するステップでは、マルチプル・インプット／マルチプル・アウトプット伝送方式に基づいて、複数のアンテナで前記上りリンクパイロット信号及び前記位置情報を受信し、前記基地局が、前記各移動局から受信した前記上りリンクパイロット信号を基に、前記上りリンク受信品質情報を計算するステップでの前記上りリンクパイロット信号は、各移動局に対して複数あるようにしてもよい。
【００１５】
本発明の第１の観点による受信品質表示方法において、前記基地局は、前記各移動局から受信した前記上りリンクパイロット信号を基に、上りリンク受信品質情報を計算するステップでは、前記上りリンク受信品質情報として、各移動局毎の前記基地局における受信信号電力、各移動局毎の前記基地局における受信信号電力と干渉電力との比、各移動局毎の該各移動局と他の移動局それぞれとの伝搬路相関値を基に算出した値及び各移動局毎の該移動局における送信アンテナ間の相関値のうちの少なくとも１つを計算するようにしてもよい。
【００１６】
本発明の第１の観点による受信品質表示方法において、前記基地局は、前記各移動局から受信した前記上りリンクパイロット信号を基に、上りリンク受信品質情報を計算するステップでは、前記上りリンク受信品質情報として、受信信号電力又は受信信号電力対干渉電力及び移動局間の相関値を計算し、前記基地局が、前記品質位置対応情報を基に、前記受信信号電力又は前記受信信号電力対干渉電力の比が他の移動局と比較して相対的に低い移動局に対して相関値が改善される場所を指示するための改善場所情報を生成するステップを更に備え、前記各移動局は、前記品質位置対応情報を基に生成した画像を表示するステップでは、前記画像として、前記改善場所情報を表す画像を表示するようにしてもよい。
【００１７】
本発明の第１の観点による受信品質表示方法において、前記基地局は、前記各移動局から受信した前記上りリンクパイロット信号を基に、上りリンク受信品質情報を計算するステップでは、前記上りリンク受信品質情報として、受信信号電力又は受信信号電力対干渉電力及び移動局間の相関値を計算し、前記基地局が、前記品質位置対応情報を基に、前記受信信号電力又は前記受信信号電力対干渉電力の比が他の移動局と比較して相対的に低い移動局に対して前記受信信号電力又は前記受信信号電力対干渉電力の比が所定値以上の領域のうちの該領域内の移動局から最も離れた場所を指示するための改善場所情報を生成するステップを更に備え、前記各移動局は、前記品質位置対応情報を基に生成した画像を表示するステップでは、前記画像として、前記改善場所情報を表す画像を表示するようにしてもよい。
【００１８】
本発明の第２の観点によれば、基地局が、下りリンクパイロット信号を複数の複数の移動局のうちの各移動局に送信するステップと、前記各移動局が、前記下りリンクパイロット信号を前記基地局から受信するステップと、前記各移動局が、前記基地局から受信した前記下りリンクパイロット信号を基に、下りリンク受信品質情報を計算するステップと、前記各移動局が、前記下りリンク受信品質情報及び自己が存在する位置を示す位置情報を前記基地局に送信するステップと、前記基地局が、前記複数の移動局に関して、前記各移動局から受信した前記下りリンク受信品質情報を、前記移動局から受信した前記位置情報と関連付けることにより、品質位置対応情報を生成するステップと、前記基地局が、前記品質位置対応情報を前記各移動局に送信するステップと、前記各移動局が、前記品質位置対応情報を基に生成した画像を表示するステップと、を備えるようにしてもよい。
【００１９】
本発明の第２の観点による受信品質表示方法において、前記各移動局が、前記品質位置対応情報を基に、複数の位置に関して、位置と前記下りリンク受信品質との対応関係を表す地図情報を生成するステップを更に備え、前記各移動局は、前記品質位置対応情報を基に生成した画像を表示するステップでは、前記画像として、前記地図情報を表す画像を表示するようにしてもよい。
【００２０】
本発明の第２の観点による受信品質表示方法において、前記各移動局が、複数の時刻における前記品質位置対応情報に含まれる位置情報により示される位置に関して、位置と前記下りリンク受信品質との対応関係を表す地図情報を生成するステップを更に備え、前記各移動局は、前記品質位置対応情報を基に生成した画像を表示するステップでは、前記画像として、前記地図情報を表す画像を表示するようにしてもよい。
【００２１】
本発明の第２の観点による受信品質表示方法において、前記各移動局が、前記品質位置対応情報を基に、前記下りリンク受信品質情報により表される下りリンク受信品質が所定の品質を上回る場所のうちの現在位置に最も近接する場所を示す近接場所情報を生成するステップを更に備え、前記各移動局は、前記品質位置対応情報を基に生成した画像を表示するステップでは、前記画像として、前記近接場所情報を表す画像を表示するようにしてもよい。
【００２２】
本発明の第２の観点による受信品質表示方法において、前記各移動局は、前記基地局から受信した前記下りリンクパイロット信号を基に、下りリンク受信品質情報を計算するステップでは、前記下りリンク受信品質情報として、各移動局毎の前記移動局における受信信号電力及び各移動局毎の前記移動局における受信信号電力と干渉電力との比のうちの少なくとも１つを計算するようにしてもよい。
【００２３】
本発明の第２の観点による受信品質表示方法において、前記基地局は、前記下りリンクパイロット信号を前記各移動局に送信するステップでは、マルチプル・インプット／マルチプル・アウトプット伝送方式に基づいて、複数のアンテナから前記下りリンクパイロット信号を送信し、前記各移動局は、前記下りリンクパイロット信号を前記基地局から受信するステップでは、マルチプル・インプット／マルチプル・アウトプット伝送方式に基づいて、複数のアンテナで前記下りリンクパイロット信号を受信し、前記各移動局が、前記基地局から受信した前記下りリンクパイロット信号を基に、前記下りリンク受信品質情報を計算するステップでの前記下りリンクパイロット信号は、複数あるようにしてもよい。
【００２４】
本発明の第２の観点による受信品質表示方法において、前記各移動局は、前記基地局から受信した前記下りリンクパイロット信号を基に、下りリンク受信品質情報を計算するステップでは、前記下りリンク受信品質情報として、各移動局毎の前記移動局における受信信号電力、各移動局毎の前記移動局における受信信号電力と干渉電力との比及び基地局における送信アンテナ間の相関値のうちの少なくとも１つを計算するようにしてもよい。
【００２５】
本発明の第２の観点による受信品質表示方法において、前記各移動局は、前記基地局から受信した前記下りリンクパイロット信号を基に、下りリンク受信品質情報を計算するステップでは、前記下りリンク受信品質情報として、受信信号電力又は受信信号電力対干渉電力及び移動局間の相関値を計算し、前記基地局が、前記品質位置対応情報を基に、前記受信信号電力又は前記受信信号電力対干渉電力の比が他の移動局と比較して相対的に低い移動局に対して相関値が改善される場所を指示するための改善場所情報を生成するステップを更に備え、前記各移動局は、前記品質位置対応情報を基に生成した画像を表示するステップでは、前記画像として、前記改善場所情報を表す画像を表示するようにしてもよい。
【００２６】
本発明の第２の観点による受信品質表示方法において、前記各移動局は、前記各移動局から受信した前記下りリンクパイロット信号を基に、下りリンク受信品質情報を計算するステップでは、前記下りリンク受信品質情報として、受信信号電力又は受信信号電力対干渉電力及び移動局間の相関値を計算し、前記基地局が、前記品質位置対応情報を基に、前記受信信号電力又は前記受信信号電力対干渉電力の比が他の移動局と比較して相対的に低い移動局に対して前記受信信号電力又は前記受信信号電力対干渉電力の比が所定値以上の領域のうちの該領域内の移動局から最も離れた場所を指示するための改善場所情報を生成するステップを更に備え、前記各移動局は、前記品質位置対応情報を基に生成した画像を表示するステップでは、前記画像として、前記改善場所情報を表す画像を表示するようにしてもよい。
【発明の効果】
【００２７】
本発明によれば、複数の移動局の位置と、それぞれの位置における受信品質を対応させた情報が、基地局から移動局に予め提供されるため、移動局において、効率よく良好な受信品質が提供される場所を認識することが出来る。
【発明を実施するための最良の形態】
【００２８】
以下、図面を参照して本発明を実施するための最良の形態について詳細に説明する。
【００２９】
［第１の実施の形態］
図１は本発明の第１の実施の形態による基地局の構成を示すブロック図であり、図２は、本発明の実施の形態による移動局の構成を示すブロック図である。図３は、１台の基地局と、基地局あたり第１〜Ｍの合計Ｍ（Ｍは、２以上の整数）台の移動局が通信を行う無線伝送システムを示すブロック図である。
【００３０】
図１において、基地局１００は、受信アンテナ１０１と、復調部１０２と、上りリンクパイロット信号分離部１０３と、上りリンク受信品質計算部１０４と、位置情報抽出部１０５と、伝搬情報生成部１０６、移動局識別番号抽出部１０７と、上りリンクパイロット制御信号生成部１０８と、信号多重部１０９と、変調部１１０と、送信アンテナ１１１とを備える。
【００３１】
基地局１００において、復調部１０２は、受信アンテナ１０１で受信した第１〜Ｍの移動局からの受信信号ＳＢＡを復調し、基地局復調信号ＳＢＤＥＭを出力する。上りリンクパイロット信号分離部１０３は、基地局復調信号ＳＢＤＥＭを入力とし、第１〜Ｍの移動局からの第１〜Ｍの上りリンクパイロット受信信号ＳＢＰ−１〜ＳＢＰ−Ｍを分離し、出力する。上りリンク受信品質計算部１０４は、第１〜Ｍの上りリンクパイロット受信信号ＳＢＰ−１〜ＳＢＰ−Ｍを基に、第１〜Ｍの移動局毎の基地局１００における受信信号電力及び第１〜Ｍの移動局毎の基地局１００における受信信号電力と干渉電力との比のうちの少なくとも１つを計算し、計算結果を第１〜Ｍの上りリンク受信品質情報ＳＢＲ−１〜ＳＢＲ−Ｍとして出力する。位置情報抽出部１０５は、基地局復調信号ＳＢＤＥＭを入力とし、第１〜Ｍの受信位置情報ＳＢＬ−１〜ＳＢＬ−Ｍを抽出する。
【００３２】
伝搬情報生成部１０６は、第１〜Ｍの上りリンク受信品質情報ＳＢＲ−１〜ＳＢＲ−Ｍ、及び、第１〜Ｍの受信位置情報ＳＢＬ−１〜ＳＢＬ−Ｍを入力とし、第１〜Ｍの上りリンク受信品質情報ＳＢＲ−１〜ＳＢＲ−Ｍと、第１〜Ｍの受信位置情報ＳＢＬ−１〜ＳＢＬ−Ｍを、それぞれ、対応させた品質位置対応情報を作成し、伝搬情報ＳＢＱとして出力する。
【００３３】
移動局識別番号抽出部１０７は、基地局復調信号ＳＢＤＥＭを入力とし、第１〜Ｍの受信移動局識別番号ＳＢＩＤ−１〜ＳＢＩＤ−Ｍを抽出する。上りリンクパイロット制御信号生成部１０８は、第１〜Ｍの受信移動局識別番号ＳＢＩＤ−１〜ＳＢＩＤ−Ｍを基に、第１〜Ｍの移動局が使用するパイロット信号のパターン番号を、基地局と通信を始めた順に決定し、第１〜Ｍの移動局が使用するパイロット信号のパターン番号と、第１〜Ｍの移動局識別番号ＳＢＩＤ−１〜ＳＢＩＤ−Ｍをそれぞれ対応させた上りリンクパイロット制御信号ＳＢＰＣを生成する。信号多重部１０９は、伝搬情報ＳＢＱ及び上りリンクパイロット制御信号ＳＢＰＣを多重し、下りリンク多重信号ＳＢＭを出力する。変調部１１０は、下りリンク多重信号ＳＢＭを変調し、下りリンク送信信号ＳＢＴＸを出力する。下りリンク送信信号ＳＢＴＸは、送信アンテナ１１１から、第１〜Ｍの移動局に送信される。
【００３４】
図２において、移動局２００は、受信アンテナ２０１と、復調部２０２と、伝搬情報抽出部２０３と、表示情報計算部２０４と、伝搬情報表示部２０５と、上りリンクパイロット制御信号抽出部２０６と、移動局識別番号生成部２０７と、位置情報生成部２０８と、上りリンクパイロット信号生成部２０９と、信号多重部２１０と、変調部２１１と、送信アンテナ２１２とを備える。
【００３５】
移動局２００において、復調部２０２は、受信アンテナ２０１で受信した基地局からの受信信号ＳＭＡを復調し、移動局復調信号ＳＭＤＥＭを出力する。伝搬情報抽出部２０３は、移動局復調信号ＳＭＤＥＭを入力とし、伝搬情報ＳＭＦを抽出する。表示情報計算部２０４は、伝搬情報ＳＭＦを入力とし、第１〜Ｍの位置情報ＳＢＬ−１〜ＳＢＬ−Ｍが示す位置に、第１〜Ｍのそれぞれの上りリンク受信品質情報ＳＢＲ−１〜ＳＢＲ−Ｍをプロットした地図情報を端末表示情報ＳＭＣＡとして出力する。表示情報計算部２０４は、代替的又は追加的に、伝搬情報ＳＭＦを入力とし、伝搬情報ＳＭＦが示す地図において、上りリンク受信品質情報の各項目ｉのうちの所定の項目（例えば、少なくとも１つの項目、全ての項目）が、移動局を所有するユーザによって決められたＹｉ（Ｙｉは、０より大きい実数）以上を達成する場所の中から、移動局に最も近接する場所の方角及び、距離を計算し、端末表示情報ＳＭＣＡとして出力してもよい。伝搬情報表示部２０５は、端末表示情報ＳＭＣＡを、端末画面上に表示する。
【００３６】
上りリンクパイロット制御信号抽出部２０６は、移動局復調信号ＳＭＤＥＭを入力とし、上りリンクパイロット制御受信信号ＳＭＰＣを抽出する。
【００３７】
移動局識別番号生成部２０７は、移動局に予め決められた移動局識別番号ＳＭＩＤを生成する。位置情報生成部２０８はＧＰＳ(Global Positioning System)を用いて測定した移動局の位置を、位置情報ＳＭＬとして出力する。上りリンクパイロット信号生成部２０９は、上りリンクパイロット制御受信信号ＳＭＰＣ及び、移動局識別番号ＳＭＩＤを入力とし、上りリンクパイロット制御受信信号ＳＭＰＣにおいて、移動局識別番号ＳＭＩＤと同じ移動局識別番号に対応するパターン番号のパイロット信号パターンを用いて、上りリンクパイロット信号ＳＭＴＰを生成する。信号多重部２１０は、上りリンクパイロット信号ＳＭＴＰ、移動局識別番号ＳＭＩＤ及び、位置情報ＳＭＬを多重し、上りリンク多重信号ＳＭＭを出力する。変調部２１１は、上りリンク多重信号ＳＭＭを変調し、上りリンク送信信号ＳＭＴＸを出力する。上りリンク送信信号ＳＭＴＸは、送信アンテナ２１２から、基地局に送信される。
【００３８】
図３において、無線伝送システム３００は、基地局１００と、第１〜Ｍの移動局２００−１〜２００−Ｍとを備える。
【００３９】
本実施形態では、上述した動作によって、基地局が、複数の移動局の位置と、それぞれの位置における上りリンクの受信信号電力を対応させた伝搬情報を、移動局に予め提供できるため、移動局は、効率よく良好な受信品質を提供する場所に到達することができる。
【００４０】
［第２の実施の形態］
図４は第２の実施の形態による基地局の構成を示すブロックであり、図５は、第２の実施の形態による移動局の構成を示すブロック図である。無線伝送システムを示すブロック図は、第１の実施の形態で示した図３と同じである。
【００４１】
図４において、基地局４００は、受信アンテナ１０１と、復調部１０２と、下りリンク受信品質情報抽出部４０３と、位置情報抽出部４０４と、伝搬情報生成部４０５と、下りリンクパイロット信号生成部４０６と、信号多重部４０７と、変調部１１０と、送信アンテナ１１１とを備える。
【００４２】
基地局４００において、復調部１０２は、受信アンテナ１０１で受信した第１〜Ｍの移動局からの受信信号ＳＢＡを復調し、基地局復調信号ＳＢＤＥＭを出力する。下りリンク受信品質情報抽出部４０３は、基地局復調信号ＳＢＤＥＭを入力とし、第１〜Ｍの下りリンク受信品質情報ＳＢＥ−１〜ＳＢＥ−Ｍを抽出する。位置情報抽出部４０４は、基地局復調信号ＳＢＤＥＭを入力とし、第１〜Ｍの受信位置情報ＳＢＬ−１〜ＳＢＬ−Ｍを抽出する。
【００４３】
伝搬情報生成部４０５は、第１〜Ｍの下りリンク受信品質情報ＳＢＥ−１〜ＳＢＥ−Ｍ、及び、第１〜Ｍの受信位置情報ＳＢＬ−１〜ＳＢＬ−Ｍを入力とし、第１〜Ｍの下りリンク受信品質情報ＳＢＲ−１〜ＳＢＲ−Ｍと、第１〜Ｍの受信位置情報ＳＢＬ−１〜ＳＢＬ−Ｍを、それぞれ、対応させた品質位置対応情報を作成し、伝搬情報ＳＢＱとして出力する。
【００４４】
下りリンクパイロット信号生成部４０６は、下りリンクパイロット信号ＳＢＴＰを生成する。信号多重部４０７は、伝搬情報ＳＢＱ及び下りリンクパイロット信号ＳＢＴＰを多重し、下りリンク多重信号ＳＢＭを出力する。変調部１１０は、下りリンク多重信号ＳＢＭを変調し、下りリンク送信信号ＳＢＴＸを出力する。下りリンク送信信号ＳＢＴＸは、送信アンテナ１１１から、第１〜Ｍの移動局に送信される。
【００４５】
図５において、移動局５００は、受信アンテナ２０１と、復調部２０２と、伝搬情報抽出部５０３と、表示情報計算部５０４と、伝搬情報表示部５０５と、下りリンクパイロット信号分離部５０６と、下りリンク受信品質計算部５０７と、移動局識別番号生成部２０７と、位置情報生成部２０８と、信号多重部５１０と、変調部２１１と、送信アンテナ２１２とを備える。
【００４６】
移動局５００において、復調部２０２は、受信アンテナ２０１で受信した基地局からの受信信号ＳＭＡを復調し、移動局復調信号ＳＭＤＥＭを出力する。伝搬情報抽出部５０３は、移動局復調信号ＳＭＤＥＭを入力とし、伝搬情報ＳＭＦを抽出する。表示情報計算部５０４は、伝搬情報ＳＭＦを入力とし、第１〜Ｍの位置情報ＳＢＬ−１〜ＳＢＬ−Ｍが示す位置に、第１〜Ｍのそれぞれの下りリンク受信品質情報ＳＢＥ−１〜ＳＢＥ−Ｍをプロットした地図情報を端末表示情報ＳＭＣＡとして出力する。表示情報計算部５０４は、代替的又は追加的に、伝搬情報ＳＭＦを入力とし、伝搬情報ＳＭＦが示す地図において、下りリンク受信品質情報の各項目ｉのうちの所定の項目（例えば、少なくとも１つの項目、全ての項目）が、移動局を所有するユーザによって決められたＹｉ（Ｙｉは、０より大きい実数）以上を達成する場所の中から、移動局に最も近接する場所の方角及び、距離を計算し、端末表示情報ＳＭＣＡとして出力してもよい。伝搬情報表示部５０５は、端末表示情報ＳＭＣＡを入力とし、端末画面上に表示する。
【００４７】
下りリンクパイロット信号分離部５０６は、移動局復調信号ＳＭＤＥＭを入力とし、基地局からの下りリンクパイロット受信信号ＳＭＰを分離し、出力する。下りリンク受信品質計算部５０７は、下りリンクパイロット受信信号ＳＭＰを入力とし、移動局における受信信号電力及び移動局における受信信号電力と干渉電力との比のうちの少なくとも１つを計算し、計算結果を下りリンク受信品質情報ＳＭＲとして出力する。
【００４８】
移動局識別番号生成部２０７は、移動局に予め決められた移動局識別番号ＳＭＩＤを生成する。位置情報生成部２０８は、ＧＰＳを用いて測定した移動局の位置を、位置情報ＳＭＬとして出力する。信号多重部５１０は、下りリンク受信品質情報ＳＭＲ、移動局識別番号ＳＭＩＤ及び、位置情報ＳＭＬを多重し、上りリンク多重信号ＳＭＭを出力する。変調部２１１は、上りリンク多重信号ＳＭＭを変調し、上りリンク送信信号ＳＭＴＸを出力する。上りリンク送信信号ＳＭＴＸは、送信アンテナ２１２から、基地局に送信される。
【００４９】
図３において、無線伝送システム３００は、基地局４００と、第１〜Ｍの移動局５００−１〜５００−Ｍとを備える。
【００５０】
本実施形態では、上述した動作によって、基地局が、複数の移動局の位置と、それぞれの位置における下りリンクの受信信号電力を対応させた伝搬情報を、移動局に予め提供できるため、移動局は、効率よく良好な受信品質を提供する場所に到達することができる。
【００５１】
［第３の実施の形態］
図６は第３の実施の形態による基地局の構成を示すブロックであり、図７は、第３の実施の形態による移動局の構成を示すブロック図である。無線伝送システムを示すブロック図は、第１の実施の形態で示した図３と同じである。
【００５２】
図６において、基地局６００は、受信アンテナ１０１と、復調部１０２と、上りリンクパイロット信号分離部１０３と、上りリンク受信品質計算部１０４と、下りリンク受信品質情報抽出部４０３と、位置情報抽出部１０５と、伝搬情報生成部６０７と、移動局識別番号抽出部１０７と、下りリンクパイロット信号生成部４０６と、上りリンクパイロット制御信号生成部１０８と、信号多重部６１１と、変調部１１０と、送信アンテナ１１１とを備える。
【００５３】
基地局６００において、復調部１０２は、受信アンテナ１０１で受信した第１〜Ｍの移動局からの受信信号ＳＢＡを復調し、基地局復調信号ＳＢＤＥＭを出力する。上りリンクパイロット信号分離部１０３は、基地局復調信号ＳＢＤＥＭを入力とし、第１〜Ｍの移動局からの第１〜Ｍの上りリンクパイロット受信信号ＳＢＰ−１〜ＳＢＰ−Ｍを分離し、出力する。上りリンク受信品質計算部１０４は、第１〜Ｍの上りリンクパイロット受信信号ＳＢＰ−１〜ＳＢＰ−Ｍを基に、第１〜Ｍの移動局毎の基地局６００における受信信号電力及び第１〜Ｍの移動局毎の基地局６００における受信信号電力と干渉電力との比のうちの少なくとも１つを計算し、計算結果を第１〜Ｍの上りリンク受信品質情報ＳＢＲ−１〜ＳＢＲ−Ｍとして出力する。下り受信品質情報抽出部４０３は、基地局復調信号ＳＢＤＥＭを入力とし、第１〜Ｍの下りリンク受信品質情報ＳＢＥ−１〜ＳＢＥ−Ｍを抽出する。位置情報抽出部１０５は、基地局復調信号ＳＢＤＥＭを入力とし、第１〜Ｍの受信位置情報ＳＢＬ−１〜ＳＢＬ−Ｍを抽出する。
【００５４】
伝搬情報生成部６０７は、第１〜Ｍの受信位置情報ＳＢＬ−１〜ＳＢＬ−Ｍ、第１〜Ｍの上りリンク受信品質情報ＳＢＲ−１〜ＳＢＲ−Ｍ、及び、第１〜Ｍの下りリンク受信品質情報ＳＢＥ−１〜ＳＢＥ−Ｍを入力とし、第１〜Ｍの受信位置情報ＳＢＬ−１〜ＳＢＬ−Ｍ、第１〜Ｍの上りリンク受信品質情報ＳＢＲ−１〜ＳＢＲ−Ｍ、及び、第１〜Ｍの下りリンク受信品質情報ＳＢＥ−１〜ＳＢＥ−Ｍを、それぞれ、対応させた品質位置対応情報を作成し、伝搬情報ＳＢＱとして出力する。
【００５５】
移動局識別番号生成部１０７は、基地局復調信号ＳＢＤＥＭを入力とし、第１〜Ｍの受信移動局識別番号ＳＢＩＤ−１〜ＳＢＩＤ−Ｍを抽出する。下りリンクパイロット信号生成部４０６は、下りリンクパイロット信号ＳＢＴＰを生成する。上りリンクパイロット制御信号生成部１０８は、第１〜Ｍの受信移動局識別番号ＳＢＩＤ−１〜ＳＢＩＤ−Ｍを基に、第１〜Ｍの移動局が使用するパイロット信号のパターン番号を、基地局と通信を始めた順に決定し、第１〜Ｍの移動局が使用するパイロット信号のパターン番号と、第１〜Ｍの移動局識別番号ＳＢＩＤ−１〜ＳＢＩＤ−Ｍをそれぞれ対応させた上りリンクパイロット制御信号ＳＢＰＣを生成する。信号多重部６１１は、伝搬情報ＳＢＱ、下りリンクパイロット信号ＳＢＴＰ及び、上りリンクパイロット制御信号ＳＢＰＣを多重し、下りリンク多重信号ＳＢＭを出力する。変調部１１０は、下りリンク多重信号ＳＢＭを変調し、下りリンク送信信号ＳＢＴＸを出力する。下りリンク送信信号ＳＢＴＸは、送信アンテナ１１１から、第１〜Ｍの移動局に送信される。
【００５６】
図７において、移動局７００は、受信アンテナ２０１と、復調部２０２と、伝搬情報抽出部７０３と、表示情報計算部７０４と、伝搬情報表示部７０５と、下りリンクパイロット信号分離部５０６と、下りリンク受信品質計算部５０７と、上りリンクパイロット制御信号抽出部２０６と、位置情報生成部２０８と、移動局識別番号生成部２０７と、上りリンクパイロット信号生成部２０９と、信号多重部７１２と、変調部２１１と、送信アンテナ２１２とを備える。
【００５７】
移動局７００において、復調部２０２は、受信アンテナ２０１で受信した基地局からの受信信号ＳＭＡを復調し、移動局復調信号ＳＭＤＥＭを出力する。伝搬情報抽出部７０３は、移動局復調信号ＳＭＤＥＭを入力とし、伝搬情報ＳＭＦを抽出する。表示情報計算部７０４は、伝搬情報ＳＭＦを入力とし、第１〜Ｍの位置情報ＳＢＬ−１〜ＳＢＬ−Ｍが示す位置に、それぞれ、第１〜Ｍの上りリンク受信品質情報ＳＢＲ−１〜ＳＢＲ−Ｍ及び、第１〜Ｍの下りリンク受信品質情報ＳＢＥ−１〜ＳＢＥ−Ｍをプロットした地図情報を端末表示情報ＳＭＣＡとして出力する。表示情報計算部７０４は、代替的又は追加的に、伝搬情報ＳＭＦを入力とし、伝搬情報ＳＭＦが示す地図において、下りリンク受信品質情報の各項目ｉのうちの所定の項目（例えば、少なくとも１つの項目、全ての項目）が、移動局を所有するユーザによって決められたＹｉ（Ｙｉは、０より大きい実数）以上を達成し、且つ、上りリンク受信品質情報の各項目ｊのうちの所定の項目（例えば、少なくとも１つの項目、全ての項目）が、移動局を所有するユーザによって決められたＺｊ（Ｚｊは、０より大きい実数）以上を達成するする場所の中から、移動局に最も近接する場所の方角及び、距離を計算し、端末表示情報ＳＭＣＡとして出力してもよい。伝搬情報表示部７０５は、端末表示情報ＳＭＣＡを、端末画面上に表示する。
【００５８】
下りリンクパイロット信号分離部５０６は、移動局復調信号ＳＭＤＥＭを入力とし、基地局からの下りリンクパイロット受信信号ＳＭＰを分離し、出力する。下りリンク受信品質計算部５０７は、下りリンクパイロット受信信号ＳＭＰを入力とし、移動局における受信信号電力及び移動局における受信信号電力と干渉電力との比のうちの少なくとも１つを計算し、計算結果を下りリンク受信品質情報ＳＭＲとして出力する。上りリンクパイロット制御信号抽出部２０６は、移動局復調信号ＳＭＤＥＭを入力とし、パイロット制御受信信号ＳＭＰＣを抽出する。
【００５９】
位置情報生成部２０８はＧＰＳを用いて測定した移動局の位置を、位置情報ＳＭＬとして出力する。移動局識別番号生成部２０７は、移動局に予め決められた移動局識別番号ＳＭＩＤを生成する。上りリンクパイロット信号生成部２０９は、上りリンクパイロット制御受信信号ＳＭＰＣ及び、移動局識別番号ＳＭＩＤを入力とし、上りリンクパイロット制御受信信号ＳＭＰＣにおいて、移動局識別番号ＳＭＩＤと同じ移動局識別番号に対応するパターン番号のパイロット信号パターンを用いて、上りリンクパイロット信号ＳＭＴＰを生成する。信号多重部７１２は、上りリンクパイロット信号ＳＭＴＰ、移動局識別番号ＳＭＩＤ及び、位置情報ＳＭＬを多重し、上りリンク多重信号ＳＭＭを出力する。変調部２１１は、上りリンク多重信号ＳＭＭを変調し、上りリンク送信信号ＳＭＴＸを出力する。上りリンク送信信号ＳＭＴＸは、送信アンテナ２１２から、基地局に送信される。
【００６０】
図３において、無線伝送システム３００は、基地局６００と、第１〜Ｍの移動局７００−１〜７００−Ｍとを備える。
【００６１】
本実施形態では、上述した動作によって、基地局が、複数の移動局の位置と、それぞれの位置における上りリンク及び下りリンクの受信信号電力を対応させた伝搬情報を、移動局に予め提供できるため、移動局は、効率よく良好な受信品質を提供する場所に到達することができる。
【００６２】
［第４の実施の形態］
ＭＩＭＯ(Multiple-Input/Multiple-Output；マルチプル・インプット／マルチプル・アウトプット)伝送技術を用いて、複数の移動局が同時刻同一周波数で信号を送信する場合、基地局における移動局間の伝搬路相関によって、伝送レートが大きく変化する。伝搬路相関が低ければ、基地局は、複数の移動局からの信号を分離することができる。しかしながら、移動局間の伝搬路の相関が高い場合、信号分離は困難になる。移動局間の伝搬路相関値は、すべての移動局における伝搬路情報を基に計算できる情報であり、この伝搬路相関値の情報が移動局に提供されない場合、移動局は、伝送レートが低下している原因が、伝搬路相関であるかどうか確認できない。このため、移動局が移動することで、移動局間の相対的な位置関係が変わり、移動局間の伝搬路相関値が下がるとしても、移動局は、最適なタイミングに、最適な場所へ移動できないため、低い伝送レートのまま通信を行わなければならない。
【００６３】
第４の実施の形態は、ＭＩＭＯ伝送方式に基づいたものであり、上記段落の問題点を解決するものである。図８は第４の実施の形態による基地局の構成を示すブロックであり、図９は、第４の実施の形態による移動局の構成を示すブロック図である。図１０は、複数の送受信アンテナを有する１台の基地局と、基地局あたり、第１〜Ｍの合計Ｍ台の、複数の送受信アンテナを有する移動局が通信を行う無線伝送システムを示すブロック図である。
【００６４】
図８において、基地局８００は、第１〜Ｒ（Ｒは、自然数）の受信アンテナ８０１−１〜８０１−Ｒと、第１〜Ｒの復調部８０３−１〜８０３−Ｒと、上りリンクパイロット信号分離部８０５と、上りリンク受信品質計算部８０６と、位置情報抽出部８０７と、伝搬情報生成部８０８と、移動局識別番号抽出部８０９と、上りリンクパイロット制御信号生成部８１０と、信号多重部８１１と、第１〜Ｒの変調部８１２−１〜８１２−Ｒと、第１〜Ｒの送信アンテナ８１４−１〜８１４−Ｒとを備える。
【００６５】
基地局８００において、第１〜Ｒの復調部８０３−１〜８０３−Ｒは、それぞれ、第１〜Ｒの受信アンテナ８０１−１〜８０１−Ｒで受信した第１〜Ｒの受信信号ＳＢＡ−１〜ＳＢＡ−Ｒを復調し、第１〜Ｒの基地局復調信号ＳＢＤＥＭ−１〜ＳＢＤＥＭ−Ｒを出力する。上りリンクパイロット信号分離部８０５は、第１〜Ｒの基地局復調信号ＳＢＤＥＭ−１〜ＳＢＤＥＭ−Ｒを入力とし、第１〜Ｒの基地局復調信号ＳＢＤＥＭ−１〜ＳＢＤＥＭ−Ｒそれぞれについて、第１〜Ｍの移動局からの上りリンクパイロット信号を分離し、第１〜（Ｒ＊Ｍ）の合計（Ｒ＊Ｍ）系列の上りリンクパイロット受信信号ＳＢＰ−１〜ＳＢＰ−（Ｒ＊Ｍ）を出力する。
【００６６】
上りリンク受信品質計算部８０６は、第１〜（Ｒ＊Ｍ）の上りリンクパイロット受信信号ＳＢＰ−１〜ＳＢＰ−（Ｒ＊Ｍ）を入力とし、第ｉの移動局と、（Ｍ−１）台の他の移動局それぞれとの伝搬路相関値の最大値を、第ｉの上りリンク受信品質情報ＳＢＲ−ｉとし、合計Ｍ個の第１〜Ｍの上りリンク受信品質情報ＳＢＲ−１〜ＳＢＲ−Ｍを出力する。
【００６７】
上記説明では、上りリンク受信品質計算部８０６は、第ｉの上りリンク受信品質情報ＳＢＲ−ｉを、第ｉの移動局と、（Ｍ−１）台の他の移動局それぞれとの伝搬路相関値の中の最大値としたが、第ｉの移動局と、（Ｍ−１）台の他の移動局それぞれとの伝搬路相関値の平均値としても良い。
【００６８】
また、上りリンク受信品質計算部８０６において出力される上りリンク受信品質情報を、移動局間の伝搬路相関値としたが、移動局の送信アンテナ数Ｓが２以上の整数であれば、受信品質を各移動局における送信アンテナ間の相関値とすることも可能である。この場合、移動局における送信アンテナ間の相関値とは、基地局が、移動局の全アンテナからの信号を受信して計算する、受信信号間の相関値のことである。この計算は、基地局の上りリンク受信品質計算部８０６において行われる。
【００６９】
また、上りリンク受信品質計算部８０６は、追加的又は代替的に、第１〜（Ｒ＊Ｍ）の上りリンクパイロット受信信号ＳＢＰ−１〜ＳＢＰ−（Ｒ＊Ｍ）を入力とし、第１〜Ｍの移動局毎の基地局８００における受信信号電力及び第１〜Ｍの移動局毎の基地局８００における受信信号電力と干渉電力との比のうちの少なくとも１つを計算し、計算結果を第１〜Ｍの上りリンク受信品質情報ＳＢＲ−１〜ＳＢＲ−Ｍとして出力してもよい。
【００７０】
位置情報抽出部８０７は、第１〜Ｒの基地局復調信号ＳＢＤＥＭ−１〜ＳＢＤＥＭ−Ｒを入力とし、第１〜Ｍの受信位置情報ＳＢＬ−１〜ＳＢＬ−Ｍを抽出する。
【００７１】
伝搬情報生成部８０８は、第１〜Ｍの上りリンク受信品質情報ＳＢＲ−１〜ＳＢＲ−Ｍ及び、第１〜Ｍの受信位置情報ＳＢＬ−１〜ＳＢＬ−Ｍを入力とし、第１〜Ｍの受信位置情報ＳＢＬ−１〜ＳＢＬ−Ｍと第１〜Ｍの上りリンク受信品質情報ＳＢＲ−１〜ＳＢＲ−Ｍを、それぞれ、対応させた品質位置対応情報を作成し、伝搬情報ＳＢＱとして出力する。
【００７２】
移動局識別番号抽出部８０９は、第１〜Ｒの基地局復調信号ＳＢＤＥＭ−１〜ＳＢＤＥＭ−Ｒを入力とし、第１〜Ｍの受信移動局識別番号ＳＢＩＤ−１〜ＳＢＩＤ−Ｍを抽出する。上りリンクパイロット制御信号生成部８１０は、第１〜Ｍの受信移動局識別番号ＳＢＩＤ−１〜ＳＢＩＤ−Ｍを基に、第１〜Ｍの移動局が使用するパイロット信号のパターン番号を、基地局と通信を始めた順に決定し、第１〜Ｍの移動局が使用するパイロット信号のパターン番号と、第１〜Ｍの受信移動局識別番号ＳＢＩＤ−１〜ＳＢＩＤ−Ｍをそれぞれ対応させた上りリンクパイロット制御信号ＳＢＰＣを生成する。信号多重部８１１は、伝搬情報ＳＢＱ及び上りリンクパイロット制御信号ＳＢＰＣを多重し、送信アンテナ数分の、第１〜Ｒの下りリンク多重信号ＳＢＭ−１〜ＳＢＭ−Ｒを出力する。第１〜Ｒの変調部８１２−１〜８１２−Ｒは、それぞれ、第１〜Ｒの下りリンク多重信号ＳＢＭ−１〜ＳＢＭ−Ｒを変調し、第１〜Ｒの下りリンク送信信号ＳＢＴＸ−１〜ＳＢＴＸ−Ｒを出力する。第１〜Ｒの下りリンク送信信号ＳＢＴＸ−１〜ＳＢＴＸ−Ｒは、それぞれ、第１〜Ｒの送信アンテナ８１４−１〜８１４−Ｒから、第１〜Ｍの移動局に送信される。
【００７３】
図９において、移動局９００は、第１〜Ｓ（Ｓは、自然数）の受信アンテナ９０１−１〜９０１−Ｓと、第１〜Ｓの復調部９０３−１〜９０３−Ｓと、伝搬情報抽出部９０５と、表示情報計算部９０６と、伝搬情報表示部９０７と、上りリンクパイロット制御信号抽出部９０８と、移動局識別番号生成部９０９と、位置情報生成部９１０と、上りリンクパイロット信号生成部９１１と、信号多重部９１２と、第１〜Ｓの変調部９１３−１〜９１３−Ｓと、第１〜Ｓの送信アンテナ９１５−１〜９１５−Ｓとを備える。
【００７４】
移動局９００において、第１〜Ｓの復調部９０３−１〜９０３−Ｓは、それぞれ、第１〜Ｓの受信アンテナ９０１−１〜９０１−Ｓで受信した基地局からの受信信号ＳＭＡ−１〜ＳＭＡ−Ｓを復調し、第１〜Ｓの移動局復調信号ＳＭＤＥＭ−１〜ＳＭＤＥＭ−Ｓを出力する。伝搬情報抽出部９０５は第１〜Ｓの移動局復調信号ＳＭＤＥＭ−１〜ＳＭＤＥＭ−Ｓを入力とし、伝搬情報ＳＭＦを抽出する。表示情報計算部９０６は、伝搬情報ＳＭＦを入力とし、第１〜Ｍの位置情報ＳＢＬ−１〜ＳＢＬ−Ｍが示す位置に、第１〜Ｍのそれぞれの上りリンク受信品質情報ＳＢＲ−１〜ＳＢＲ−Ｍをプロットした地図情報を端末表示情報ＳＭＣＡとして出力する。表示情報計算部９０６は、代替的又は追加的に、伝搬情報ＳＭＦを入力とし、伝搬情報ＳＭＦが示す地図において、上りリンク受信品質情報の各項目ｉのうちの所定の項目（例えば、少なくとも１つの項目、全ての項目）が、移動局を所有するユーザによって決められたＹｉ（Ｙｉは、０より大きい実数）以上を達成する場所の中から、移動局に最も近接する場所の方角及び、距離を計算し、端末表示情報ＳＭＣＡとして出力してもよい。
伝搬情報表示部９０７は、端末表示情報ＳＭＣＡを、端末画面上に表示する。
【００７５】
上りリンクパイロット制御信号抽出部９０８は、第１〜Ｓの移動局復調信号ＳＭＤＥＭ−１〜ＳＭＤＥＭ−Ｓを入力とし、上りリンクパイロット制御受信信号ＳＭＰＣを抽出する。移動局識別番号生成部９０９は、移動局に予め決められた移動局識別番号ＳＭＩＤを生成する。位置情報生成部９１０はＧＰＳを用いて測定した移動局の位置を、位置情報ＳＭＬとして出力する。上りリンクパイロット信号生成部９１１は、上りリンクパイロット制御受信信号ＳＭＰＣ及び、移動局識別番号ＳＭＩＤを入力とし、上りリンクパイロット制御受信信号ＳＭＰＣにおいて、移動局識別番号ＳＭＩＤと同じ移動局識別番号に対応するパターン番号のパイロット信号パターンを用いて、パイロット信号ＳＭＴＰを生成する。信号多重部９１２は、パイロット信号ＳＭＴＰ、移動局識別番号ＳＭＩＤ及び、位置情報ＳＭＬを多重し、送信アンテナ数分の第１〜Ｓの上りリンク多重信号ＳＭＭ−１〜ＳＭＭ−Ｓを出力する。第１〜Ｓの変調部９１３−１〜９１３−Ｓは、それぞれ、第１〜Ｓの上りリンク多重信号ＳＭＭ−１〜ＳＭＭ−Ｓを変調し、第１〜Ｓの上りリンク送信信号ＳＭＴＸ−１〜ＳＭＴＸ−Ｓを出力する。第１〜Ｓの上りリンク送信信号ＳＭＴＸ−１〜ＳＭＴＸ−Ｓは、それぞれ、第１〜Ｓの送信アンテナ９１５−１〜９１５−Ｓから、基地局に送信される。
【００７６】
上述した動作によって、基地局が、複数の移動局の位置と、それぞれの位置における移動局間の伝搬路相関値を対応させた伝搬情報を、移動局に予め提供できるため、移動局は、効率よく良好な受信品質を提供する場所に到達することができる。
【００７７】
［第５の実施の形態］
第５の実施の形態は、ＭＩＭＯ伝送方式に基づいたものであり、第４の実施の形態の第１段落に記載されている問題点を解決するものである。図１１は第５の実施の形態による基地局の構成を示すブロックであり、図１２は、第５の実施の形態による移動局の構成を示すブロック図である。無線伝送システムを示すブロック図は、第４の実施の形態で用いた図１０と同じ構成である。
【００７８】
図１１において、基地局１０００は、第１〜Ｒ（Ｒは、自然数）の受信アンテナ８０１−１〜８０１−Ｒと、第１〜Ｒの復調部８０３−１〜８０３−Ｒと、下りリンク受信品質情報抽出部１００５と、位置情報抽出部８０７と、伝搬情報生成部１００７と、下りリンクパイロット信号生成部１００８と、信号多重部１００９と、第１〜Ｒの変調部８１２−１〜８１２−Ｒと、第１〜Ｒの送信アンテナ８１４−１〜８１４−Ｒとを備える。
【００７９】
基地局１０００において、第１〜Ｒの復調部８０３−１〜８０３−Ｒは、それぞれ、第１〜Ｒの受信アンテナ８０１−１〜８０１−Ｒで受信した第１〜Ｒの受信信号ＳＢＡ−１〜ＳＢＡ−Ｒを復調し、第１〜Ｒの基地局復調信号ＳＢＤＥＭ−１〜ＳＢＤＥＭ−Ｒを出力する。
【００８０】
下りリンク受信品質抽出１００５は、第１〜Ｒの基地局復調信号ＳＢＤＥＭ−１〜ＳＢＤＥＭ−Ｒを入力とし、第１〜Ｍの下りリンク受信品質情報ＳＢＥ−１〜ＳＢＥ−Ｍを抽出し出力する。
【００８１】
位置情報抽出部８０７は、第１〜Ｒの基地局復調信号ＳＢＤＥＭ−１〜ＳＢＤＥＭ−Ｒを入力とし、第１〜Ｍの受信位置情報ＳＢＬ−１〜ＳＢＬ−Ｍを抽出する。
【００８２】
伝搬情報生成部１００７は、第１〜Ｍの下りリンク受信品質情報ＳＢＥ−１〜ＳＢＥ−Ｍ及び、第１〜Ｍの受信位置情報ＳＢＬ−１〜ＳＢＬ−Ｍを入力とし、第１〜Ｍの受信位置情報ＳＢＬ−１〜ＳＢＬ−Ｍ、及び、第１〜Ｍの下りリンク受信品質情報ＳＢＲ−１〜ＳＢＲ−Ｍを、それぞれ、対応させた品質位置対応情報を作成し、伝搬情報ＳＢＱとして出力する。
【００８３】
下りリンクパイロット信号生成部１００８は、下りリンクパイロット信号ＳＢＴＰを生成し出力する。
【００８４】
信号多重部１００９は、伝搬情報ＳＢＱ及び下りリンクパイロット信号ＳＢＴＰを多重し、送信アンテナ数分の、第１〜Ｒの下りリンク多重信号ＳＢＭ−１〜ＳＢＭ−Ｒを出力する。第１〜Ｒの変調部８１２−１〜８１２−Ｒは、それぞれ、第１〜Ｒの下りリンク多重信号ＳＢＭ−１〜ＳＢＭ−Ｒを変調し、第１〜Ｒの下りリンク送信信号ＳＢＴＸ−１〜ＳＢＴＸ−Ｒを出力する。第１〜Ｒの下りリンク送信信号ＳＢＴＸ−１〜ＳＢＴＸ−Ｒは、それぞれ、第１〜Ｒの送信アンテナ８１４−１〜８１４−Ｒから、第１〜Ｍの移動局に送信される。
【００８５】
図１２において、移動局１１００は、第１〜Ｓ（Ｓは、自然数）の受信アンテナ９０１−１〜９０１−Ｓと、第１〜Ｓの復調部９０３−１〜９０３−Ｓと、伝搬情報抽出部１１０５と、表示情報計算部１１０６と、伝搬情報表示部１１０７と、下りリンクパイロット信号分離部１１０８と、下りリンク受信品質計算部１１０９と、位置情報生成部９１０と、信号多重部１１１１と、第１〜Ｓの変調部９１３−１〜９１３−Ｓと、第１〜Ｓの送信アンテナ９１５−１〜９１５−Ｓとを備える。
【００８６】
移動局１１００において、第１〜Ｓの復調部９０３−１〜９０３−Ｓは、それぞれ、第１〜Ｓの受信アンテナ９０１−１〜９０１−Ｓで受信した基地局からの受信信号ＳＭＡ−１〜ＳＭＡ−Ｓを復調し、第１〜Ｓの移動局復調信号ＳＭＤＥＭ−１〜ＳＭＤＥＭ−Ｓを出力する。伝搬情報抽出部１１０５は第１〜Ｓの移動局復調信号ＳＭＤＥＭ−１〜ＳＭＤＥＭ−Ｓを入力とし、伝搬情報ＳＭＦを抽出する。
【００８７】
表示情報計算部１１０６は、伝搬情報ＳＭＦを入力とし、第１〜Ｍの位置情報ＳＢＬ−１〜ＳＢＬ−Ｍが示す位置に、第１〜Ｍのそれぞれの上りリンク受信品質情報ＳＢＲ−１〜ＳＢＲ−Ｍをプロットした地図情報を端末表示情報ＳＭＣＡとして出力する。表示情報計算部１１０６は、代替的又は追加的に、伝搬情報ＳＭＦを入力とし、伝搬情報ＳＭＦが示す地図において、下りリンク受信品質情報の各項目ｉのうちの所定の項目（例えば、少なくとも１つの項目、全ての項目）が、移動局を所有するユーザによって決められたＹｉ（Ｙｉは、０より大きい実数）以上を達成する場所の中から、移動局に最も近接する場所の方角及び、距離を計算し、端末表示情報ＳＭＣＡとして出力してもよい。伝搬情報表示部１１０７は、端末表示情報ＳＭＣＡを、端末画面上に表示する。
【００８８】
下りリンクパイロット信号分離部１１０８は、第１〜Ｍの移動局復調信号ＳＭＤＥＭ−１〜ＳＭＤＥＭ−Ｓを入力とし、下り受信パイロット信号ＳＭＰ−１〜ＳＭＰ−Ｒを分離し出力する。下りリンク受信品質計算部１１０９は、下り受信パイロット信号ＳＭＰ−１〜ＳＭＰ−Ｒを入力とし、移動局における受信信号電力、移動局における受信信号電力と干渉電力との比及び基地局における送信アンテナ間の相関値のうちの少なくとも１つを計算し、計算結果を下りリンク受信品質情報ＳＭＲとして出力する。位置情報生成部９１０はＧＰＳを用いて測定した移動局の位置を、位置情報ＳＭＬとして出力する。信号多重部１１１１は、下りリンク受信品質ＳＭＲ及び位置情報ＳＭＬを多重し、送信アンテナ数分の第１〜Ｓの上りリンク多重信号ＳＭＭ−１〜ＳＭＭ−Ｓを出力する。第１〜Ｓの変調部９１３−１〜９１３−Ｓは、それぞれ、第１〜Ｓの上りリンク多重信号ＳＭＭ−１〜ＳＭＭ−Ｓを変調し、第１〜Ｓの上りリンク送信信号ＳＭＴＸ−１〜ＳＭＴＸ−Ｓを出力する。第１〜Ｓの上りリンク送信信号ＳＭＴＸ−１〜ＳＭＴＸ−Ｓは、それぞれ、第１〜Ｓの送信アンテナ９１５−１〜９１５−Ｓから、基地局に送信される。
【００８９】
図１０において、無線伝送システム１４００は、基地局８００と、第１〜Ｍの移動局１１００−１〜１１００−Ｍとを備える。
【００９０】
上述した動作によって、基地局が、複数の移動局の位置と、それぞれの位置における下りリンク受信品質を対応させた伝搬情報を、移動局に予め提供できるため、移動局は、効率よく良好な受信品質を提供する場所に到達することができる。
【００９１】
［第６の実施の形態］
第６の実施の形態は、ＭＩＭＯ伝送方式に基づいたものであり、第４の実施の形態の第１段落に記載されている問題点を解決する。図１３は第６の実施の形態による基地局の構成を示すブロックであり、図１４は、第６の実施の形態による移動局の構成を示すブロック図である。無線伝送システムを示すブロック図は、第４の実施の形態で用いた図１０と同じ構成である。
【００９２】
図１３において、基地局１２００は、第１〜Ｒ（Ｒは、自然数）の受信アンテナ８０１−１〜８０１−Ｒと、第１〜Ｒの復調部８０３−１〜８０３−Ｒと、上りリンクパイロット信号分離部８０５と、上りリンク受信品質計算部８０６と、下りリンク受信品質情報抽出部１００５と、位置情報抽出部８０７と、移動局識別番号抽出部８０９と、伝搬情報生成部１２０９と、上りリンクパイロット制御信号生成部８１０と、下りリンクパイロット信号生成部１００８と、信号多重部１２１３と、第１〜Ｓの変調部８１２−１〜８１２−Ｒと、第１〜Ｒの送信アンテナ８１４−１〜８１４−Ｒとを備える。
【００９３】
基地局１２００において、第１〜Ｒの復調部８０３−１〜８０３−Ｒは、それぞれ、第１〜Ｒの受信アンテナ８０１−１〜８０１−Ｒで受信した第１〜Ｒの受信信号ＳＢＡ−１〜ＳＢＡ−Ｒを復調し、第１〜Ｒの基地局復調信号ＳＢＤＥＭ−１〜ＳＢＤＥＭ−Ｒを出力する。上りリンクパイロット信号分離部８０５は、第１〜Ｒの基地局復調信号ＳＢＤＥＭ−１〜ＳＢＤＥＭ−Ｒを入力とし、第１〜Ｒの基地局復調信号ＳＢＤＥＭ−１〜ＳＢＤＥＭ−Ｒそれぞれについて、第１〜Ｍの移動局からの上りリンクパイロット信号を分離し、第１〜（Ｒ＊Ｍ）の合計（Ｒ＊Ｍ）系列の上りリンクパイロット受信信号ＳＢＰ−１〜ＳＢＰ−（Ｒ＊Ｍ）を出力する。
【００９４】
上りリンク受信品質計算部８０６は、第１〜（Ｒ＊Ｍ）の上りリンクパイロット受信信号ＳＢＰ−１〜ＳＢＰ−（Ｒ＊Ｍ）を入力とし、第ｉの移動局と、（Ｍ−１）台の他の移動局それぞれとの伝搬路相関値の最大値を、第ｉの上りリンク受信品質情報ＳＢＲ−ｉとし、合計Ｍ個の第１〜Ｍの上りリンク受信品質情報ＳＢＲ−１〜ＳＢＲ−Ｍを出力する。
【００９５】
上記説明では、上りリンク受信品質計算部８０６は、第ｉの上りリンク受信品質情報ＳＢＲ−ｉを、第ｉの移動局と、（Ｍ−１）台の他の移動局それぞれとの伝搬路相関値の中の最大値としたが、第ｉの移動局と、（Ｍ−１）台の他の移動局それぞれとの伝搬路相関値の平均値としても良い。
【００９６】
上記説明では、上りリンク受信品質計算部８０６は、第ｉの上りリンク受信品質情報ＳＢＲ−ｉを、第ｉの移動局と、（Ｍ−１）台の他の移動局それぞれとの伝搬路相関値の中の最大値としたが、第ｉの移動局と、（Ｍ−１）台の他の移動局それぞれとの伝搬路相関値の平均値としても良い。
【００９７】
また、上りリンク受信品質計算部８０６において出力される上りリンク受信品質情報を、移動局間の伝搬路相関値としたが、移動局の送信アンテナ数Ｓが２以上の整数であれば、受信品質を各移動局における送信アンテナ間の相関値とすることも可能である。
【００９８】
また、上りリンク受信品質計算部８０６は、追加的又は代替的に、第１〜（Ｒ＊Ｍ）の上りリンクパイロット受信信号ＳＢＰ−１〜ＳＢＰ−（Ｒ＊Ｍ）を入力とし、第１〜Ｍの移動局毎の基地局１２００における受信信号電力及び第１〜Ｍの移動局毎の基地局１２００における受信信号電力と干渉電力との比のうちの少なくとも１つを計算し、計算結果を第１〜Ｍの上りリンク受信品質情報ＳＢＲ−１〜ＳＢＲ−Ｍとして出力してもよい。
【００９９】
下りリンク受信品質抽出部１００５は、第１〜Ｒの基地局復調信号ＳＢＤＥＭ−１〜ＳＢＤＥＭ−Ｒを入力とし、第１〜Ｍの下りリンク受信品質情報ＳＢＥ−１〜ＳＢＥ−Ｍを抽出し出力する。
【０１００】
位置情報抽出部８０７は、第１〜Ｒの基地局復調信号ＳＢＤＥＭ−１〜ＳＢＤＥＭ−Ｒを入力とし、第１〜Ｍの受信位置情報ＳＢＬ−１〜ＳＢＬ−Ｍを抽出する。
【０１０１】
伝搬情報生成部１２０９は、第１〜Ｍの上りリンク受信品質情報ＳＢＲ−１〜ＳＢＲ−Ｍ、第１〜Ｍの下りリンク受信品質情報ＳＢＥ−１〜ＳＢＥ−Ｍ及び、第１〜Ｍの受信位置情報ＳＢＬ−１〜ＳＢＬ−Ｍを入力とし、第１〜Ｍの受信位置情報ＳＢＬ−１〜ＳＢＬ−Ｍ、第１〜Ｍの下りリンク受信品質情報ＳＢＥ−１〜ＳＢＥ−Ｍ、及び、第１〜Ｍの上りリンク受信品質情報ＳＢＲ−１〜ＳＢＲ−Ｍを、それぞれ、対応させた品質位置対応情報を作成し、伝搬情報ＳＢＱとして出力する。
【０１０２】
移動局識別番号抽出部８０９は、第１〜Ｒの基地局復調信号ＳＢＤＥＭ−１〜ＳＢＤＥＭ−Ｒを入力とし、第１〜Ｍの受信移動局識別番号ＳＢＩＤ−１〜ＳＢＩＤ−Ｍを抽出する。上りリンクパイロット制御信号生成部８１０は、第１〜Ｍの受信移動局識別番号ＳＢＩＤ−１〜ＳＢＩＤ−Ｍを基に、第１〜Ｍの移動局が使用するパイロット信号のパターン番号を、基地局と通信を始めた順に決定し、第１〜Ｍの移動局が使用するパイロット信号のパターン番号と、第１〜Ｍの受信移動局識別番号ＳＢＩＤ−１〜ＳＢＩＤ−Ｍをそれぞれ対応させた上りリンクパイロット制御信号ＳＢＰＣを生成する。
【０１０３】
下りリンクパイロット信号生成部１００８は、下りリンクパイロット信号ＳＢＴＰを生成し出力する。
【０１０４】
信号多重部１２１３は、伝搬情報ＳＢＱ、上りリンクパイロット制御信号ＳＢＰＣ及び下りリンクパイロット信号ＳＢＴＰを多重し、送信アンテナ数分の、第１〜Ｒの下りリンク多重信号ＳＢＭ−１〜ＳＢＭ−Ｒを出力する。第１〜Ｒの変調部８１２−１〜８１２−Ｒは、それぞれ、第１〜Ｒの下りリンク多重信号ＳＢＭ−１〜ＳＢＭ−Ｒを変調し、第１〜Ｒの下りリンク送信信号ＳＢＴＸ−１〜ＳＢＴＸ−Ｒを出力する。第１〜Ｒの下りリンク送信信号ＳＢＴＸ−１〜ＳＢＴＸ−Ｒは、それぞれ、第１〜Ｒの送信アンテナ８１４−１〜８１４−Ｒから、第１〜Ｍの移動局に送信される。
【０１０５】
図１４において、移動局１３００は、第１〜Ｓ（Ｓは、自然数）の受信アンテナ９０１−１〜９０１−Ｓと、第１〜Ｓの復調部９０３−１〜９０３−Ｓと、伝搬情報抽出部１３０５と、表示情報計算部１３０６と、伝搬情報表示部１３０７と、下りリンクパイロット信号分離部１１０８と、下りリンク受信品質計算部１１０９と、上りリンクパイロット制御信号抽出部９０８と、移動局識別番号生成部９０９と、位置情報生成部９１０と、上りリンクパイロット信号生成部１３１３と、信号多重部１３１４と、第１〜Ｓの変調部９１３−１〜９１３−Ｓと、第１〜Ｓの送信アンテナ９１５−１〜９１５−Ｓとを備える。
【０１０６】
移動局１３００において、第１〜Ｓの復調部９０３−１〜９０３−Ｓは、それぞれ、第１〜Ｓの受信アンテナ９０１−１〜９０１−Ｓで受信した基地局からの受信信号ＳＭＡ−１〜ＳＭＡ−Ｓを復調し、第１〜Ｓの移動局復調信号ＳＭＤＥＭ−１〜ＳＭＤＥＭ−Ｓを出力する。伝搬情報抽出部１３０５は第１〜Ｓの移動局復調信号ＳＭＤＥＭ−１〜ＳＭＤＥＭ−Ｓを入力とし、伝搬情報ＳＭＦを抽出する。表示情報計算部１３０６は、伝搬情報ＳＭＦを入力とし、第１〜Ｍの位置情報ＳＢＬ−１〜ＳＢＬ−Ｍが示す位置に、それぞれ、第１〜Ｍの上りリンク受信品質情報ＳＢＲ−１〜ＳＢＲ−Ｍ及び、第１〜Ｍの下りリンク受信品質情報ＳＢＥ−１〜ＳＢＥ−Ｍをプロットした地図情報を端末表示情報ＳＭＣＡとして出力する。表示情報計算部１３０６は、代替的又は追加的に、伝搬情報ＳＭＦを入力とし、伝搬情報ＳＭＦが示す地図において、下りリンク受信品質情報の各項目ｉのうちの所定の項目（例えば、少なくとも１つの項目、全ての項目）が、移動局を所有するユーザによって決められたＹｉ（Ｙｉは、０より大きい実数）以上を達成し、且つ、上りリンク受信品質情報の各項目ｊのうちの所定の項目（例えば、少なくとも１つの項目、全ての項目）が、移動局を所有するユーザによって決められたＺｊ（Ｚｊは、０より大きい実数）以上を達成するする場所の中から、移動局に最も近接する場所の方角及び、距離を計算し、端末表示情報ＳＭＣＡとして出力してもよい。伝搬情報表示部１３０７は、端末表示情報ＳＭＣＡを、端末画面上に表示する。
【０１０７】
下りリンクパイロット信号分離部１１０８は、第１〜Ｍの移動局復調信号ＳＭＤＥＭ−１〜ＳＭＤＥＭ−Ｓを入力とし、下り受信パイロット信号ＳＭＰ−１〜ＳＭＰ−Ｒを分離し出力する。下りリンク受信品質計算部１１０９は、下り受信パイロット信号ＳＭＰ−１〜ＳＭＰ−Ｒを入力とし、移動局における受信信号電力、移動局における受信信号電力と干渉電力との比及び基地局における送信アンテナ間の相関値のうちの少なくとも１つを計算し、計算結果を下りリンク受信品質情報ＳＭＲとして出力する。
【０１０８】
上りリンクパイロット制御信号抽出部９０８は、第１〜Ｍの移動局復調信号ＳＭＤＥＭ−１〜ＳＭＤＥＭ−Ｓを入力とし、上りリンクパイロット制御受信信号ＳＭＰＣを抽出する。移動局識別番号生成部９０９は、移動局に予め決められた移動局識別番号ＳＭＩＤを生成する。位置情報生成部９１０はＧＰＳを用いて測定した移動局の位置を、位置情報ＳＭＬとして出力する。上りリンクパイロット信号生成部１３１３は、上りリンクパイロット制御受信信号ＳＭＰＣ及び、移動局識別番号ＳＭＩＤを入力とし、上りリンクパイロット制御受信信号ＳＭＰＣにおいて、移動局識別番号ＳＭＩＤと同じ移動局識別番号に対応するパターン番号のパイロット信号パターンを用いて、パイロット信号ＳＭＴＰを生成する。信号多重部１３１４は、下りリンク受信品質ＳＭＲ、パイロット信号ＳＭＴＰ、移動局識別番号ＳＭＩＤ及び、位置情報ＳＭＬを多重し、送信アンテナ数分の第１〜Ｓの上りリンク多重信号ＳＭＭ−１〜ＳＭＭ−Ｓを出力する。第１〜Ｓの変調部９１３−１〜９１３−Ｓは、それぞれ、第１〜Ｓの上りリンク多重信号ＳＭＭ−１〜ＳＭＭ−Ｓを変調し、第１〜Ｓの上りリンク送信信号ＳＭＴＸ−１〜ＳＭＴＸ−Ｓを出力する。第１〜Ｓの上りリンク送信信号ＳＭＴＸ−１〜ＳＭＴＸ−Ｓは、それぞれ、第１〜Ｓの送信アンテナ９１５−１〜９１５−Ｓから、基地局に送信される。
【０１０９】
図１０において、無線伝送システム１４００は、基地局１２００と、第１〜Ｍの移動局１３００−１〜１３００−Ｍとを備える。
【０１１０】
上述した動作によって、基地局が、複数の移動局の位置と、それぞれの位置における移動局間の伝搬路相関値を対応させた伝搬情報を、移動局に予め提供できるため、移動局は、効率よく良好な受信品質を提供する場所に到達することができる。
【０１１１】
［第７の実施の形態］
図１５は第７の実施の形態による伝搬情報生成部の構成を示すブロックである。第７の実施の形態による基地局、移動局及び、無線伝送システムの構成は、それぞれ、第４の実施の形態で示した図８、図９、及び、図１０と同じである。
【０１１２】
図１５において、伝搬情報生成部８０８Ａは、品質位置対応情報生成部１５０１と、品質位置対応情報蓄積部１５０２と、品質位置対応情報累積部１５０３とを備える。
【０１１３】
品質位置対応情報生成部１５０１は、第Ｗ（Ｗは、自然数）の時間において、第１〜Ｍの上りリンク受信品質情報ＳＢＲ−１〜ＳＢＲ−Ｍ及び、第１〜Ｍの受信位置情報ＳＢＬ−１〜ＳＢＬ−Ｍを入力とし、第１〜Ｍの受信位置情報ＳＢＬ−１〜ＳＢＬ−Ｍと、第１〜Ｍの上りリンク受信品質情報を、それぞれ、対応させた、第Ｗの品質位置対応情報ＳＢＱＬを生成する。品質位置対応情報蓄積部１５０２は、第Ｗの品質位置対応情報ＳＢＱＬを、品質位置対応情報蓄積部１５０２内部の記憶装置に保存し、過去に作成した、第（Ｗ−Ｘ＋１）、（Ｗ−Ｘ＋２）、…、Ｗ−１の品質位置対応情報ＳＢＭＱＬを出力する。品質位置対応情報累積部１５０３は、第Ｗの品質位置対応情報ＳＢＱＬと、第（Ｗ−Ｘ＋１）、（Ｗ−Ｘ＋２）、…、Ｗ−１の品質位置対応情報ＳＢＭＱＬの、合計Ｘ個の品質位置対応情報（Ｘは、Ｗ以下の自然数）を入力とし、最大（Ｘ＊Ｍ）個の前記位置情報と前記受信品質情報を組み合わせた情報を累積し、同一の位置毎に前記受信品質情報を平均することによって、新たに品質位置蓄積情報を作成し、伝搬情報ＳＢＱとして出力する。
【０１１４】
上記の動作によって、移動局が移動することによって、基地局が複数の位置における受信品質情報を一台の移動局から取得できる場合には、異なる時間に作成したＸ個の品質位置対応情報を上記のように変換することで、詳細な品質位置対応情報を作成することができる。
【０１１５】
第１の実施の形態の伝搬情報生成部１０６、第２の実施の形態の伝搬情報生成部４０５、第３の実施の形態の伝搬情報生成部６０７、第５の実施の形態の伝搬情報生成部１００７又は第６の実施の形態の伝搬情報生成部１２０９を、本実施形態の伝搬情報生成部８０８Ａと同様なものとしてもよい。
【０１１６】
［第８の実施の形態］
第８の実施の形態は、ＭＩＭＯ伝送方式に基づいたものであり、第４の実施の形態の第１段落に記載されている問題点を解決するものである。
【０１１７】
図１６は、第８の実施の形態による伝搬情報生成部の構成を示すブロックである。第８の実施の形態による基地局、移動局、及び、無線伝送システムの構成は、それぞれ、第４の実施の形態で示した図８、図９、及び、図１０と同じである。
【０１１８】
図１６において、伝搬情報生成部８０８Ｂは、品質位置対応情報生成部１６０１と、最適位置推定部１６０２とを備える。
【０１１９】
伝搬情報生成部８０８Ｂにおいて、品質位置対応情報生成部１６０１は、第１〜Ｍの上りリンク受信品質情報ＳＢＲ−１〜ＳＢＲ−Ｍ及び、第１〜Ｍの受信位置情報ＳＢＬ−１〜ＳＢＬ−Ｍを入力とし、第１〜Ｍの受信位置情報ＳＢＬ−１〜ＳＢＬ−Ｍと、第１〜Ｍの上りリンク受信品質情報ＳＢＲ−１〜ＳＢＲ−Ｍを、それぞれ、対応させた、品質位置対応情報ＳＢＱＬを生成する。最適位置推定部１６０２は、品質位置対応情報ＳＢＱＬを入力とし、第１〜Ｍの移動局間の相対的な位置関係及び、前記第１〜Ｍの受信品質情報ＳＢＲ−１〜ＳＢＲ−Ｍを基に、前記第１〜Ｍの移動局の受信品質が、Ｙ以上を達成する第１〜Ｍの移動局の相対的な位置関係を推定し、第１〜Ｍの移動局に移動させる、それぞれの方角及び距離を、伝搬情報ＳＢＱとして出力する。
【０１２０】
次に、移動局数Ｍを４とし、最適位置推定部１６０２が、第１〜Ｍの最適位置情報を推定する例を、図１７及び図１８を用いて説明する。
【０１２１】
図１７に、品質位置対応情報ＳＢＱＬのデータを基に、第１〜４の移動局間の相対的な位置関係及び、前記第１〜４の受信品質情報ＳＢＬ−１〜ＳＢＬ−４をプロットした例を示す。図１７では、第１と第２の移動局が近接し、両者の相関値が高いために、第１〜２の受信信号電力又は受信信号電力対干渉電力の比といった受信品質情報ＳＢＲ−１〜ＳＢＲ−２が、第３〜４の受信品質情報ＳＢＲ−３〜ＳＢＲ−４と比べて低下している。
【０１２２】
このような場合、最適位置推定部１６０２は、近接して存在する第１及び第２の移動局の内、最も高い受信品質を提供する移動局（第３の移動局）に近い移動局（第２の移動局）と、第３の移動局を結ぶ線の中間地点を最適地点とし、第２の移動局から最適地点への方角及び距離を計算し、伝搬情報ＳＢＱとして、第２の移動局に通知する。第２の移動局はそれを表示する。
【０１２３】
上記の動作によって、伝搬情報ＳＢＱが示す位置に、図１８のように第２の移動局が移動することで、第１及び第２の移動局間の相関値が下がり、両者の受信品質を改善することができる。尚、最適位置推定部１６０２は、第２の移動局が移動する場所として、比較的高い受信品質を示す第３及び第４の移動局における受信品質に大きな影響を与えない場所を選択する必要がある。
【０１２４】
第５の実施の形態の伝搬情報生成部１００７又は第６の実施の形態の伝搬情報生成部１２０９を、本実施形態の伝搬情報生成部８０８Ｂと同様なものとしてもよい。
【０１２５】
［第９の実施の形態］
第９の実施の形態は、ＭＩＭＯ伝送方式に基づいたものであり、第４の実施の形態の第１段落に記載されている問題点を解決するものである。
【０１２６】
図１９は、第９の実施の形態による移動局における表示情報計算部９０６の構成を示すブロックである。第９の実施の形態による基地局、移動局、及び、無線伝送システムの構成は、それぞれ、第４の実施の形態で示した図８、図９、及び、図１０と同じである。また、本実施形態は実施形態７を前提としたものである。
【０１２７】
図１９において、表示情報計算部９０６は、伝搬情報解析部１９０１と、最適位置選択部１９０２とを備える。
【０１２８】
表示情報計算部９０６において、伝搬情報解析部１９０１は、伝搬情報ＳＭＦを入力とし、伝搬情報ＳＭＦに含まれる第１〜最大（Ｘ＊Ｍ）の受信位置情報と、第１〜最大（Ｘ＊Ｍ）の上りリンク受信品質情報を対応させた情報をマッピングして地図情報を作成し、さらに、第Ｗの時間における前記第１〜Ｍの位置情報を地図上にプロットしたデータを、解析情報ＳＭＦＳとして出力する。
【０１２９】
最適位置選択部１９０２は、解析情報ＳＭＦＳを入力とし、所要受信品質を達成するエリアの中で、他の移動局が近くに存在しない場所を最適移動位置に決定し、移動局の位置から、最適移動位置への方角及び距離を計算し、端末表示情報ＳＭＣＡとして出力する。
【０１３０】
次に、移動局数Ｍを４とし、第２の移動局における表示情報計算部９０６が、最適移動位置を選択する例を、図２０及び図２１を用いて説明する。
【０１３１】
図２０に、伝搬情報ＳＭＦに含まれる第１〜最大（Ｘ＊４）の受信位置情報ＳＢＬ−１〜ＳＢＬ−Ｍと、第１〜最大（Ｘ＊４）の上りリンク受信品質情報ＳＢＲ−１〜ＳＢＲ−Ｍを対応させた情報から作成した、受信品質を表す地図の例を示す。また、図２０には、第１〜４の移動局の位置情報も表示されている。図２０では、第１と第２の移動局が接近し、両者の相関値が高いために、第１〜２の受信信号電力又は受信信号電力対干渉電力の比といった受信品質情報ＳＢＲ−１〜ＳＢＲ−２が、第３〜４の受信品質情報ＳＢＲ−３〜ＳＢＲ−４と比べて低下している。
【０１３２】
このような場合、第２の移動局が、受信品質が移動局間の相対的な位置関係に依存しないならば、受信品質０．９を示すエリアに移動することで、受信品質を０．１から０．９に改善することができる。しかしながら、受信品質に、移動局間の相対的な位置関係に依存する移動局間の相関値を用いる場合、第２の移動局が、第４の移動局に近接する場所に移動することによって、第２と第４の移動局間の相関値が増加し、両者の受信品質が低下してしまう。このため、第２の移動局が、受信品質０．９を達成するためには、受信品質０．９を示すエリア内で、第４の移動局に最も遠い場所に移動する方が望ましい。そこで、最適位置選択部１９０２は、第２の移動局に、図２１に示される矢印の方角へ移動するように通知する。
【０１３３】
上記の動作によって、受信品質情報を表した地図上に、他の移動局の位置を示すことによって、移動局は、受信品質を改善する場所に効率よく移動することができる。本実施形態では、第２の移動局の端末上には、移動局が決定した場所への方角及び距離が矢印により示されるが、図２０のような地図のみ（矢印を除いたもの）を表示させることで、所有者に移動する場所を決定させる方法もある。また、上記と同様な操作を、基地局の伝搬情報生成手段が行うことによって、移動局が移動する場所を、基地局に決定させることも可能である。
【０１３４】
第５の実施の形態の表示情報計算部１１０６又は第６の実施の形態の表示情報計算部１３０６を、本実施形態の表示情報計算部伝搬情報生成部９０６と同様なものとしてもよい。
【０１３５】
上記の実施形態によれば以下の効果が奏される。
【０１３６】
実施形態１乃至３の場合のように、受信品質情報に、受信信号電力が含まれ、受信信号電力が移動局間の相対的な位置関係に依存しない場合、移動局は、伝搬情報において表示される、良好な受信信号電力を提供する場所に移動することで、受信信号電力を改善することができる。
【０１３７】
また、実施形態４乃至６の場合のように、複数の移動局が同時刻同一周波数で信号を送信し、受信品質が移動局間の相対的な位置関係により変化する場合においても、以下に述べるような効果がある。基地局が、予め、複数の移動局間の伝搬路相関値及び移動局間の相対的な位置関係を示す情報を、伝搬情報として、移動局に提供することで、移動局は、伝送レートが低下している原因が伝搬路相関であるかどうか確認できる。このため、移動局は、伝送レートを改善するために、低い伝搬路相関値を示す場所や、近接した場所に他の移動局が存在しない低い伝搬路相関が予測できるような、受信品質の良い場所に効率良く移動することができる。
【図面の簡単な説明】
【０１３８】
【図１】本発明の第１の実施の形態による基地局を示すブロック図である。
【図２】本発明の第１の実施の形態による移動局を示すブロック図である。
【図３】本発明の第１乃至第３の実施の形態による無線伝送システムを示すブロック図である。
【図４】本発明の第２の実施の形態による基地局を示すブロック図である。
【図５】本発明の第２の実施の形態による移動局を示すブロック図である。
【図６】本発明の第３の実施の形態による基地局を示すブロック図である。
【図７】本発明の第３の実施の形態による移動局を示すブロック図である。
【図８】本発明の第４の実施の形態による基地局を示すブロック図である。
【図９】本発明の第４の実施の形態による移動局を示すブロック図である。
【図１０】本発明の第４の実施の形態による無線伝送システムを示すブロック図である。
【図１１】本発明の第６の実施の形態による基地局を示すブロック図である。
【図１２】本発明の第６の実施の形態による移動局を示すブロック図である。
【図１３】本発明の第５の実施の形態による基地局を示すブロック図である。
【図１４】本発明の第５の実施の形態による移動局を示すブロック図である。
【図１５】本発明の第７の実施の形態による伝搬情報生成部を示す図である。
【図１６】本発明の第８の実施の形態による伝搬情報生成部を示す図である。
【図１７】本発明の第８の実施の形態による移動局の位置関係が変化する前の基地局及び移動局を示した図である。
【図１８】本発明の第８の実施の形態による移動局の位置関係が変化した後の基地局及び移動局を示した図である。
【図１９】本発明の第９の実施の形態による表示情報計算部を示す図である。
【図２０】本発明の第９の実施の形態による移動局の位置関係が変化する前の基地局及び移動局を示した図である。
【図２１】本発明の第９の実施の形態による移動局の位置関係が変化した後の基地局及び移動局を示した図である。
【図２２】従来例の基地局を示すブロック図である。
【図２３】従来例の移動局を示すブロック図である。
【符号の説明】
【０１３９】
１００、３０１、４００、６００、８００  基地局
２００、３０２、３０３、３０４、５００、７００、９００  移動局
１０１、２０１、８０１、８０２、９０１、９０２、２３０１  受信アンテナ
１１１、２１２、８１４、８１５、９１５、９１６、１８０３  送信アンテナ
１１０、２１１、８１２、８１３、９１３、９１４、２２０２  変調部
１０２、２０２、８０３、８０４、９０３、９０４、２３０２  復調部
１０９、２１０、４０７、５１０、６１１、７１２、８１１、９１２、１００９、１１１１、１２１３、１３１４  信号多重部
１０３、８０５  上りリンクパイロット信号分離部
５０６、１１０８  下りリンクパイロット信号分離部
１０４、８０６  上りリンク受信品質計算部
５０７、１１０９、２３０３  下りリンク受信品質計算部
１０６、４０５、６０７、８０８、８０８Ａ、８０８Ｂ、１００７、１２０９  伝搬情報生成部
２０８、９１０  位置情報生成部
１０５、４０４、８０７  位置情報抽出部
２０７、９０９  移動局識別番号生成部
１０７、８０９  移動局識別番号抽出部
２０６、９０８  上りリンクパイロット制御信号抽出部
４０３、１００５  下りリンク受信品質情報抽出部
２０９、９１１、１３１３  上りリンクパイロット信号生成部
４０６、１００８、２２０１  下りリンクパイロット信号生成部
１０８、８１０  上りリンクパイロット制御信号生成部
２０３、５０３、７０３、９０５、１１０５、１３０５  伝搬情報抽出部
２０４、５０４、７０４、９０６、１１０６、１３０６  表示情報計算部
２０５、５０５、７０５、９０７、２３０４、１１０７、１３０７  伝搬情報表示部
３００  無線伝送システム
１５０１、１６０１  品質位置対応情報生成部
１５０２  品質位置対応情報蓄積部
１５０３  品質位置対応情報累積部
１６０２  最適位置推定部
１９０１  伝搬情報解析部
１９０２  最適位置選択部
２２００  基地局送信装置
２３００  移動局受信装置
【図１】
2006352324.tif 000003
【図２】
2006352324.tif 000004
【図３】
2006352324.tif 000005
【図４】
2006352324.tif 000006
【図５】
2006352324.tif 000007
【図６】
2006352324.tif 000008
【図７】
2006352324.tif 000009
【図８】
2006352324.tif 000010
【図９】
2006352324.tif 000011
【図１０】
2006352324.tif 000012
【図１１】
2006352324.tif 000013
【図１２】
2006352324.tif 000014
【図１３】
2006352324.tif 000015
【図１４】
2006352324.tif 000016
【図１５】
2006352324.tif 000017
【図１６】
2006352324.tif 000018
【図１７】
2006352324.tif 000019
【図１８】
2006352324.tif 000020
【図１９】
2006352324.tif 000021
【図２０】
2006352324.tif 000022
【図２１】
2006352324.tif 000023
【図２２】
2006352324.tif 000024
【図２３】
2006352324.tif 000025